(57)【要約】【課題】現代は歩行を忌避し、脳は歩くことをストレスと感じる時代であり、旧来のドイツ式もしくは欧米系の歩行理論では改善困難な足腰や歩行のトラブルが多発している。本考案は心理的影響や日常生活の中で歪みやすい骨盤や骨格を、歩くことで補正しつつ旧来の技術では困難であった姿勢や歩行の改善を実現する。【解決手段】▲１▼建築における免震（免振）構造を靴類の中敷きに応用することで、人体の関節配列（アライメント）を可能にする免震中敷きの考案▲２▼人体もしくは脳に生来的に備わっている制震（制振）機能を補佐する靴類の中敷きの考案【実用新案登録請求の範囲】
【請求項１】
関節もしくは骨格のアライメントによる歩行改善や心理的影響による骨盤等の歪みの補正など多様な歩行改善効果を実現し、これらの効果を持続させるために建築における免震（免振）構造を応用した靴類の中敷きの考案および人体もしくは脳に生来的に備わっている制震（制振）機能を足元から補助する靴類の中敷きの考案
【請求項２】
立位時もしくは歩行時・運動時における関節アライメントを免震（免振）構造を有する靴類の中敷きによって補助しその効果を持続させると共に、人体や脳に生来的に備わっている制震（制振）機能を補佐し身体のバランスを保ちやすくするために、流動性を有する液体等を封入し身体の部位に固定する。これにより、その液体等の流動による慣性やバランスを取るための「おもり」としての役割を利用することで人体の重心の不均衡をより容易かつ迅速に回復することができるバランサーもしくはスタビライザーの考案
【請求項３】
靴類装用時の爪先方向への足の滑りを止め、着地時の踵骨の安定性を高め、免震（免振）機能を有する中敷き自体から発生する無用の横揺れを吸収するためのＵの字形踵骨固定パッドの考案
【請求項４】
足圧による汚れや足指等の摩擦の痕跡が残りやすい素材を免震（免振）機能を有する中敷きの表面に貼ることで、歩行等の連続運動時における骨格や足指等の動きを把握しやすくし、この痕跡を手掛かりに関節アライメント等の補正ができるタンニンなめしによる食肉用の豚の皮革を用いた靴類の中敷きの考案
【考案の詳細な説明】
【考案の詳細な説明】
【技術分野】
【０００１】本考案は、「靴のフィット性を改善する方法」（特許公開平５−１８４４０９）とか、「靴が足に合う、合わない」「歩きやすい、歩きにくい」「足が痛い、痛くない」といった問題や、これらのトラブルを改善すべく考案された「足の裏の形状をそのまま複製して造られた各種中敷き類」等の先行技術と単純に同一視すべき考案ではない。
本考案では、人体は２０６個の骨格の積み木であり、歩行とは足がこれらの骨格や骨盤を支えつつ脳が全身のバランスを取りながら移動するダイナミックな連続運動であり、靴はその足元を安定させる土台として機能していると捉えている。
本考案はこの靴という土台の上に建築における免震（免振）機能を有する中敷きを常設することで、足元から全身の関節配列（アライメント）を補佐し、人体の重心の不均衡を緩和することで脳のストレスを緩和し、骨盤を中心とするバランスの取れた骨格や筋肉を形成しやすくする技術である。
また人体に生来的に備わっている重心の不均衡を補正しようとする制震（制振）機能を補うために免震（免振）機能を有する中敷きと流動性があるバランサーもしくはスタビライザーを上肢等に固定し、両者を組み合わせることで歩行改善効果を高めたり歩行運動効果の効率をより高め、生活習慣の中で生じる骨格の歪みや心理的な影響による骨盤等の歪み等を補正しやすくする技術である。
【背景技術】
【０００２】我が国におけるこれまでの歩行改善技術は欧米系の歩行理論である「３つのアーチ理論」（図１）に基づいたものであって、この理論は世界的に広く流布しているが我が国の実情に即した理論ではなかった。
たとえば欧米人と日本人では依然として身長体形及び骨格・筋力に明確な違いがある。
また固い乾燥した地面や石畳の上を木靴や固い革底の靴で歩いてきた欧米人の数千年に及ぶ履物の歴史に比べ、我が国の履物の歴史は短く草が生えた湿った柔らかい地面の上を素足や草履等で歩いたり、畳の上の生活が長かったという特徴がある。
たとえば我が国においては「靴を日常的に常時装用する生活文化」が完全定着して未だ４０年ほどでしかない。
我が国の５０代半ば以上の世代では、高校卒業時までは通学時には下駄を履き、学校の上履きはゴム草履、運動の時間は裸足というのが通例であった。
また欧米では起床と同時に靴を履き就寝まで靴を装用し続けるという履物文化を有しているのに比べ、我が国では起床後素足やスリッパで家の中を歩き回ってから靴を履くという履物文化を維持している。
そのうえ我が国では、依然として履物を脱いで家に上がるという履物文化を有しており、特に我が国の主婦は家の中では素足やスリッパで生活し外出時にのみ履物を装用するという、いわばべた足歩行と履物歩行を日常的に何度も往復するという特異な履物文化を有しているのである。
従って我が国ではまだ、靴という外来の履物に完全に骨格が適応しきっていない可能性が強いのである。
そのうえ主婦や若い女性は買い物や散歩または「お出かけ」のつど、ミュールサンダルやスニーカー・ハイヒール等の履物としての構造が大きく異なり、歩行特性や姿勢を著しく変化させるような構造を有する履物を日常的に履き替えているのが実情である。
さらに我が国では慢性的な運動不足に加え、交通機関がくまなく発達し、ほとんどの道路は固く舗装され、住宅の中の畳の面積が減少する一方で各所にエレベーターやエスカレータが設置され、ビルや住宅の中ではきわめて固い段差のない床面積が増加している。
つまりバリアフリー社会の進展そのものが現代人の脚力不足を助長している側面があり、古い欧米系の歩行理論ではもはや対応しきれない現実に直面している。
また高齢社会の進展に伴い骨粗しょう症や転倒による骨折およびリウマチ等の歩行困難者の増加や、ファッションのみを重視し外見を優先する若者の増大による「コンニャク足」（著しく脚力が低下したため幼児のように足首から先が柔らかくなってしまった足）や外反母趾等の増加、および成長期にある幼児・学童・学生等の著しい脚力の低下も憂慮され、短時間であっても直立していられない「ジベタリアン」と呼ばれる特異な世代も出現している。
一方、欧米系の歩行理論である「三つのアーチ理論」は、、歩くことが当たり前の時代に生まれた古い技術であり、我が国ではいま歩くことすら忌避され、交通手段の発展により歩行機会そのものが失われつつある時代を迎えていて、「二つのアーチ理論」が我が国の実情にそぐわない技術となっている。
また欧米系の歩行理論である「三つのアーチ理論」は、起床時に履いた靴は就寝まで履き続けるという欧米の履物文化を前提にしており、我が国の主婦のように家の中ではべた足（スリッパ）生活を送り、しかも外出のつどサンダルやスニーカーまたはパンプスというように構造が著しく異なる複数の履物の間を日常的に往復するという特異な履物文化を全く想定していないのである。
つまり欧米系の「三つのアーチ理論」は、我が国の靴装用に関する歴史の浅さや生活習慣による履物文化のちがい及び骨格体形筋力等の差異すらまったく考慮していない理論といわざるを得ないのである。
また「三つのアーチ理論」にもとづく欧米系の靴や中敷きや足底板（足底挿板）は、一部に足当たりをソフトにすために数ミリ厚のウレタン等が表面にのみ貼り付けられているものもあるが、その構造材自体はきわめて硬く、足首から先に骨格と筋肉と靱帯による強靱な三脚を強制的に構築することで歩行機能を改善するものであり、（この理論自体は欧米人に適合しているとしても）実際に日本人が装用すると図４のように靴の中で爪先の骨格が逆アーチとなり足の裏に魚の目やタコができやすく、中敷きが薄くて固いために衝撃吸収性が劣り膝や股関節に着地の衝撃が伝わるという欠点があった。
実は我が国で広く普及しているドイツ靴は、第二次世界大戦により国土の大半が瓦礫の山と化し、足を負傷した国民が多かったというドイツの国情から生まれた靴であり、トレッキングシューズに近い強固な造りを特徴としている。
またこのドイツ靴の中に入れられている中敷きは完全に規格化されていて、歩行のトラブル別にあらかじめ量産された既成の中敷きが用意されており、販売者は購入者の足のトラブルとフットプリント（足の裏にインク等を付着させ、静止状態の足形を平らな紙の上に写し取る手法）をもとに歩行特性の判定を行い、あらかじめ用意された既成の中敷きの中から該当する番号のついた中敷きを選び出して購入者に提供しているにすぎないのである。
しかしこの手法では、静止状態の足の骨格と歩行という連続運動における足の骨格は同一であるという重大な誤謬が前提になっているのであり、特に全身の骨格や関節のアライメントを補助したり持続させるには不充分な技術だったのである。
なお、先行技術として靴底そのものに免震素材を用いるという技術が存在するが、免震素材は靴底としては柔らかすぎ靴底がすり減りやすく、その結果むしろ骨盤等を歪めるおそれがあり、靴底に免震素材を用いることで生じる効果もつまびらかにされていない。
さらに平成１４年９月２７日開催の第１６回日本靴医学会学術集会（仙台市）における論文（論文名「ドイツ式整形靴・足底挿板が外反母趾角開帳度に及ぼす効果」永生病院整形外科  赤来家康・今井安秀  ドイツ靴メーカー「フスウントシューインスティチュート」遠藤  拓・ルッツベーレ・オリバーシュピッツによる日独合同研究）においてドイツ式整形外科靴および足底挿板は欧米人には適合しても日本人には適合しない旨明確に否定された。
これは欧米との履物の歴史や文化の差異に加え、「三つのアーチ理論」の基点となる三つの骨格ポイントを特定する手法が主に「フットプリント」等に代表される静的状態の足形を判定の根拠にしていたために生じた当然の帰結と思われる。
このためこれらの欠点を改善し、我が国の履物の歴史や履物文化に適応し、かつ歩行運動効果や歩行改善効果を高めるような独自性・新規性を有する中敷きの考案が待たれていたのである。
【考案が解決しようとする課題】
【０００３】人体の骨盤は柔らかなソファーに座ったり、膝組み・横座り・あぐら座り・慢性的な運動不足等の日常的な行為で歪みやすいことは一般的に良く知られている。
ところが医師は、日常生活の中で歪みやすいという骨盤の特徴を忘れ、高血圧症や肥満・糖尿病等の生活習慣病の患者に対し必ずウォーキングを奨める。
しかし骨盤を正しく支える機能が備わっていない靴を履いて歩くと骨盤は日常生活の中で生じたゆがんだままの状態で歩行することになり、その結果人体の骨格は足元から頭部にかけて３次元のＳ字型に蛇行し、歩行姿勢は前後左右に歪み重い頭蓋骨はバランスを取ろうとして傾くため頸部が凝ったり歯のかみ合わせまで変えてしまう。
また不安定な姿勢で歩くことで、歩行者は意識していなくても脳は常に全身のバランスを取ろうとして無意識緊張し、それがストレスになりかねないのである。
つまり現代人にとって、歩くこと自体がストレスになっているのであり、このストレスのために歩いたあと疲労感が残り、甘い飲み物やビールが飲みたくなったり、単にお腹がすいて間食してしまうのである。
ちなみにスポーツ医学の分野では、ウォーキング（及び運動）は、バランスがとれた骨格で行わなければ集中力が低下し、バランスのとれた筋肉も付きにくく、骨密度を高めることも難しいといわれている。
また従来のスニーカーや一部のウォーキングシューズに採用されている様々なショックアブソーバー構造やサスペンション構造は、詰まるところ単なる衝撃吸収や靴底の弾力性の向上か、欧米系の歩行理論にもとづく足首から下の「三つのアーチ」の補正にとどまっており、その目的は骨盤や骨格を関節アライメントにより補正するものではなかったのである。
たしかにドイツ系の靴と中敷きには足首から下に骨格と靱帯および筋肉が複合的に形成した「三つのアーチ」の構築を目的としたものが多いが、欧米人と日本人の骨格の差異および履物の歴史や履物文化の違いがまったく考慮されておらず、その効能は前記・日本靴医学界において否定された経緯もある。
またドイツ系の中敷きの素材自体もコルク等のチップを樹脂類で成形した固い素材であるため衝撃吸収性が劣るばかりか、地面の凹凸や靴底がすり減った場合に生じる足元のひずみがそのまま膝や股関節を通じて骨盤にも伝わるといった欠点もあった。
もしこうした骨盤の歪みを完全に補正しようとすれば、常に固い中敷を削る等の微細な調整が必要となり、費用や時間も掛かってしまい、現実的には欠点の多い理論や技術といわざるを得ない。
ましてやドイツ系・欧米系の靴と中敷きでは、免震（免振）機能は備わっておらず、人体に生来的に備わっている制震（制振）機能を補佐する機能もないばかりか、人間は心理的な影響でも歩行姿勢が急変するという事態にはまったく対応できず、そうした事態すら想定していなかったのである。
これに比べ本考案は免震（免振）機能を有し、元来人体に備わっている制震（制振）機能を補佐する機能を有する靴中敷きにより、歩くことで生活習慣の中で歪みやすい骨盤のバランスを回復させ、バランスのとれた取れた足腰の筋肉を形成させるとともに、骨盤や股関節を歩くことで常に正しい位置に揺り戻し、これにより上半身の骨格のゆがみを補正しようとするものである。
そして、こうした一連の現象が足元から全身の骨格に関節配列（アライメント）ととして伝わり、歩行というダイナミックな連続した運動を通じて歩行本来の機能の回復や健康の増進を実現させるのである。
また加齢や体重の増減および心理的な影響による歩行姿勢の変化や靴底の摩耗が生じた場合でも、上半身の骨格の歪みや揺れを免震（免振）構造により吸収し、人体に備わっている制震（制振）機能を補佐する中敷きの作用により、足元から骨盤を支えそのバランスを保つことで歩行姿勢を補正することで、転倒や腰痛等も未然に防ぐことも可能となる。
さらにリウマチ等の障害により足指の関節が変形している人の靴を造る場合、従来は足の形をした靴を特注品として加工していたが高価であり、製作に１ヶ月以上は掛かるのが実情であった。
本考案は、中敷きに厚さ１０ｍｍ〜２５ｍｍもあるソフトな免震素材を用いるため、この厚さの中敷きを収納しうる靴類にはそれだけの改造可能空間があらかじめ備っていることになる。
このためこの中敷きを足指の関節の変形に合わせて部分的に１０ｍｍ〜２０ｍｍ削ることで、靴そのものを特注しなくても変形した関節を容易に収納することができるのである。また現代人は手ぶらで歩行することがほとんどなく、手提げ鞄や肩掛け鞄・リュッツク等何らかの骨格に影響を与える一種のおもりを携行するのが常である。
こうした状況に加え、人は心理的な要因でも歩行姿勢が急変したり骨盤等が大きく歪むことが起こりうる。
さらに人間は加齢や体重の変化・妊娠等で骨盤や骨格のバランスが変化するが、それ以外にもたとえば嬉しいことがあればウキウキと歩き、不安や心配事があればうなだれて歩くのであり、その結果骨盤や骨格は微妙に変化し、それに伴って筋肉が伸縮し腰痛や肩こりが起こるのである。また人体の筋肉は脳からの微弱な電流によって伸縮するため、ストレスにより左右の足の長さも変化し、骨盤や骨格が歪む可能性もある。
もともと筋肉は脳からの微弱な電流によってコントロールされているのであり、骨格が筋肉と靱帯によって支えられていることを考慮すれば脳のストレスが筋肉を萎縮させ骨格を変動させることは、むしろ当然の現象と言うべきである。
従って常時骨盤や骨格のバランスを補正し、歩くことで骨盤のバランスを回復しつつ人間の心的影響による歩行特性の変化にも対応可能な靴類の中敷きの開発が真に必要のである。
なお、現代では医者に掛かることが時間的負担となるばかりか、治療費の自己負担率の増加や入院に伴う脚力の低下、あるいは入院中の院内感染や輸血に伴う様々な感染、医師の技量やモラルの低下、様々な医療過誤、手術の後遺症、術後のリハビリにおける時間と費用の負担およびリハビリに伴う苦痛、その間の家族のさまざまな経済的負担の増加等、入院や手術には実に多くのリスクや負担が伴っているのが実情である。
こうした状況にあって本考案は、多くの国民が直面している足腰のトラブルの軽減や、歩行による健康増進効果はもちろんのこと、正しいウォーキングによる生活習慣病の予防、およびその結果生じる各種健康保険支出の削減や家計における医療費負担の軽減、さらには我が国における歩行可能年齢を引き上げることに伴う介護費用の低減や、高齡者の外出機会の創出に伴う様々な消費の拡大など、本考案はきわめて広範囲な公益性及び経済的波及効果の大きい「総合的な足元からの健康づくり」に関する新規性のある技術の考案なのである。
【課題を解決するための手段】
【０００４】人体は、地震に強い高層ビルと類似した柔構造を有している。否、地震に強い高層ビルの柔構造こそ人体の骨格の強靱さと「しなやかさ」をモデルに開発されたものといっても過言ではない。
周知のように強い地震に耐えうる高層建築物の基礎と土台の閧には強靭なスプリングや厚い防震ゴム等が挟み込まれており、このスプリングや厚い防震ゴムが地震のエネルギーを吸収しビルの倒壊や損壊を防いでいる。
これが建築における免震（免振）構造であり、図２のハンマーを支える手がこれにあたる。また柔構造を有する高層ビルの内部にあって、地震の揺れのエネルギーを吸収し揺れを抑える機能が制震（制振）構造（図３）である。
人体の場合、２足歩行や静止直立をしていても骨盤を中心とする骨格とそれらを支える各種筋肉および靱帯は、脳の指令によって一体となってバランスを取り横揺れや縦揺れ等を吸収することで制震（制振）機能を果たしている。
ところがこれまで２足歩行を行う人間の足元には本格的な免震（免振）構造が欠如していたのであり、ショックアブソバー機能や名目的なサスペンション機能をうたった靴や中敷きは考案されていても、人体が生来的に保有する制震（制振）機能を補佐したり補完する目的で考案された免震（免振）中敷きは考案されていなかった。
むしろ人体にこそ足元から全身の骨格を支える免震（免振）機能を有する靴中敷きが必要なのであり、「一つのアーチ理論」もそれを土台から支える免震（免振）構造があってこそ充分機能を発揮でき、免震（免振）構造と「三つのアーチ理論」が一体化したとき始めて骨盤を中心とする骨格とそれらを支える各種筋肉および靱帯が結合して、よりダイナミックな制震（制振）機能が発揮され、脳による身体のバランスコントロールが容易になるるのである。
ところが従来からある「三つのアーチ理論」は、土台となる靴中敷きに固いコルク混入成形素材やせいぜい厚さ３ｍｍ〜５ｍｍ程度の衝撃吸収素材を使用している。
こうした固い素材や薄い中敷きでは、足元から全身の関節配列（アライメント）を補正することが不十分であばかりか、歩行中に遭遇する地面の凹凸や靴底の摩耗、さらには手や肩に下げた荷物の影響による骨格の歪みさえも直接骨盤に伝えるという欠点を有していたのである。
これに比べ本考案は、あえて中敷きに厚さ１０ｍｍ〜２５ｍｍもあるソフトな免震（免振）素材を用いることで、従来の靴や中敷きでは実現不可能であったより高度な免震（免振）機能を付与することができる。
またこうすることで足の裏にかかる重心の一局集中を分散し、足の裏にできる魚の目やタコを防ぎ、歩行中の脳のストレスを減らすと共に、加齡や体重の変化もしくは心理的な影響による歩行姿勢の変化が生じた場合でも、歩行中の骨格特に骨盤を足元から支えつつ全身の骨格の動的アライメントの補正や全身の骨格のバランス補正を行う。
また免震（免振）機能を有する中敷きは素材自体のスプリング効果により足を前に押し出すため、容易に足が前に踏み出しやすくなり、歩行可能距離が向上し脚力を向上をもたらす。
なお、免震（免振）機能を有する中敷きを格納する靴類にはあえて変形しやすい皮革等の素材を用い、２〜３週間の足慣らしにより靴等が変形し、あたかも恃注品であるかのように足に馴染んで来るような素材や製法を選択する。
【考案を実施するための最良の形態】
【０００５】（イ）我が国では日常的に靴を履く習慣はまだ４０年ほどしかなく、さらに日常的に家の中では「べた足亅であり外出するときだけ靴を履くというと欧米の歩行理論を想定していない履物文化を有しており、人々の足がまだ靴という「入れ物」にまだ完全に適応していない可能性が濃厚である。
従って欧米で考案された「三つのアーチ理論」をそのまま我が国に適応することは無理があるばかりか、足や腰のトラブルを増加させてしまうおそれすらある。
また「三つのアーチ理論」に基づいて製作されたドイツ式中敷きは、どれもが画一的であって、その目的は靴の中に強制的に「三つのアーチ」を構築することで一時的な「歩きやすさ」をもたらす程度の機能しかないと断言せざるをえない。
なぜなら「三つのアーチ理論」に基づいて製造された靴の中底や中敷きは、すべてつま先の中足骨部分が「すり鉢状」に窪んでおり、この窪みに母指球（第１指中足骨前方の関節部）と小指球（第５指中足骨前方の関節）を結ぶ前アーチが落ち込み、我が国のようにべた足で家の中を歩き回ってから靴に足入れると爪先が「逆アーチ」となってしまい、この時点ですでに「二つのアーチ理論」が破綻してしまうからである。（図４参照）
実はこの現象こそが我が国における様々な足や腰のトラブルを助長しているのであり、この「逆アーチ」部分に魚の目やタコが発生する事例が多発している。
そこで本考案では我が国の実情を踏まえ、免震（免振）機能を有する靴中敷きの中足骨部分を一種の枕をはさみ込み、ここを常時持ち上げることで「三つのアーチ」を形成させ、この「三つのアーチ理論」が本来求めていた骨格形態を復元することで、足首からつま先までの範囲に柔軟性のある「三つのアーチ」を構築し、これにより安定した歩行を実現するのである。
なお本考案では便宜上これを以後「日本型４点支持アーチ理論」と定義する。
欧米系「三つのアーチ理論」（図１）と、本考案である「日本型４点支持アーチ理論」（図５）を対比されたい。
欧米系「三つのアーチ理論」（図１）における三つの基点は、▲１▼踵骨の最下点（図１ア）▲２▼足の親指（第１指）の付け根（けい骨側中足骨最下点：図１イ）▲３▼足の小指（第５指）の付け根（ひ骨側中足骨最下点図１ウ）である。この場合図１イと図１ウを結ぶ関節がアーチの中心に向かって配列していることに注目されたい。
これに対し「日本型４点支持アーチ理論」（図５）では、エの枕（中足骨パッド）が追加された形となりる。
なお図５におけるエの中心ないし基点を特定するための計測法は以下のとおりである。
まず免震構造（機能）を有する中敷の上面に裸足もしくは靴下を着用した足またはテープ等で足形を補正した足を直接載せ、▲１▼踵骨の最下点（図５ア）▲２▼足の親指（第１指）の付け根（けい骨側中足骨最下点  図５イ）▲３▼足の小指（第５指）の付け根（ひ骨側中足骨最下点図５ウ）を指で触れて探し出すか、または目で確認するか、もしくは３Ｄスキャナー足型計測器により特定し、免震中敷き側面等に目印を付ける。
次に図５イと図５ウを直線で結び、その中間点と図５アを結ぶ直線上２０ｍｍないし３０ｍｍの範囲に中足骨アーチ（５図イ〜ウ）を支える枕（中足骨パッドもしくはペロッティ）の頂点もしくは中心を固定する。
このパッドの形状はおおむね水滴形とするが、歩行特性に合わせてその形状・面積・位置・厚さ・固さ等を個別に調整する。
さらに図５アがすべての原点となるため、腫骨が前後左右に動かないようにするために固定し滑り止めをする必要があが、従来の技術では踵骨の固定方法としてＵ字型のパッドを踵の後方より爪先に向かって固定してきた（図６オの状態）が、本考案では同様の素材を用いて図７キのように爪先側から踵に向かって逆向きに接着剤等で固定する。
こうすることで踵骨は靴の中で前後左右に滑らなくなり、踵から着地した場合の安定性を向上することが可能となる。
またこの腫骨固定方法は、正座習慣や脚力低下等により腫骨および居骨が動きやすい場合や、ハイヒールのように靴の中で足が前方に滑りやすい場合に特に有効であり、さらに腫骨を固定する必要がある場合は内くるぶしの真下に同様の素材で成形された流線型のパッド（図７カ）を追加し固定することでより腫骨を固定でき、さらに足底動脈を適度に圧迫することで足の冷えやむくみ、しびれ等の改善も可能となる。
ちなみにこれらのパーツの素材および中敷き本体の素材は高密度発泡樹脂および多孔質シリコンもしくはゴム等の弾力性に優れた素材を使用し、特に免震（免振）機能を持つ中敷きはその中敷きを装用する人の年齢・体重・骨格・脚力・歩行特性・靴の用途に合わせて選べるよう各種の特性を有する高密度発泡樹脂および多孔質シリコン等や、精密機械の各種防震ゴム素材等適時選択したり、これらを組み合わせることができるようにする必要がある。
（ロ）従来の中敷きに使用されてきた中敷きの表面に貼る敷皮は皮革もしくは合成皮革ないし各種繊維布等であり、これらは意図的に汚れにくく汚れが目立ちにくい素材や色彩が用いられてきた。
このため従来の敷皮では敷皮に付着した汚れや摩擦痕から靴装用歩行における連続した骨格の動きや足指の動きおよび加重バランスを読みとることが困難であった。
たとえばこの課題に取り組む方法として、歩行時における足圧（足の裏にかかる体重と靴底からの衝撃を総合した圧力）を測定すべく圧力センサーをコース上に敷き靴を脱いでその上を歩かせたり、薄いシート状の圧力センサーを履物の中に入れ平面的なコースを歩かせることで足圧をデジタル測定する技術がすでに開発されている。
しかし、屋外の歩道等は決して平面ではないし、現代人はほとんど手ぶらで歩くとがなく常になんらかの手荷物を携行しながら歩行しており、季節や天気・気温・湿度・体調・靴類のかかとの高さ・ファッション・気分等で歩行特性は変化し、骨盤もその影響を受けざるをえないのであり、圧力センサーを用いて計測した室内データは実際の歩行特性とは無縁のデータでしかなく、このデータに基づいて靴中敷きを調整加工してもほとんど意味がないのである。
これに比べ本考案では、歩行もしくは運動等におけるダイナミックな連続運動の記録を採取するために、あえて汚れやすく足圧が残りやすい素材特に植物性タンニンなめしによる食肉豚の皮革を免震構造を有する靴中敷の表面に貼る。
これにより、より鮮明な足圧の汚れや摩擦痕が得られ、これを解読することで日常的かつ連続的な歩行特性や運動時の重心等が把握しやすくなるのである。
その際、豚革は豚革の裏面が足の裏に接触するようにバックスキンとして接着しておくと、歩行時に足圧が掛かった部分は起毛が潰れたり摩耗して光沢が生じ、汗や皮脂の痕跡が残りやすくなり、歩行やスポーツにおける連続運動の生きた記録が正確に採取できるようになる。
またこの素材を用いた場合、免震素材は圧力を受けた部分のみが瞬間的に窪むという特徴と結合して、歩行のエネルギーを無駄なく地面に伝えることができ、歩行による疲労を少なくする効果も得られる。
さらに豚革のバックスキンは起毛状態にあるため足の裏の汗等を良く吸収し、さらに靴を脱いだあとは起毛面が大気に触れることで乾燥が促進されるメリットもある。
また豚革のなめしに用いるタンニンやカテキンは靴の中の雑菌の繁殖を抑えてくれると同時に、免震（免振）構造を有する靴中敷きと一体となって足の裏をマッサージするため血行が良くなる。
「足は第二の心臓」といわれるが、本考案は一歩足を踏み出すたびに足の裏をソフトにマッサージすることで血行を改善し、新陳代謝を活発にするという機能も有しているのである。
（ハ）次に本考案の実施にあたっては、免震（免振）機能を有する靴類の中敷きを用いて歩行する人体の歩行特性や足腰のトラブルに合わせて、必要に応じてこの中敷きを適時補正する方法を説明する。
なぜなら人体は、加齢や体重の変化・心理的影響もしくは季節の変化・健康状態・妊娠等で骨盤や骨格のバランスが変化し姿勢も変化すると同時に、靴の変形や靴底の摩耗およびパッド等の弾性低下が不可避的に発生するからである。
しかし、免震（免振）機能を有する靴類の中敷きには、歩行しながら全身の骨格の動的アライメントを補正するという機能があるため骨格の微小な変化や靴底の軽度の摩耗および中敷き素材のヘタリ（弾性低下）に関しては、中敷き自体のチューニングがほとんど必要ない。
むしろチューニング必要なのは、芝生の上を素足で歩くような柔らかさを特徴とする免震（免振）機能を有する靴類の中敷きを用いて歩行することで、全身の筋肉をほぐし骨格や骨盤の歪みを足元から補正したとき、「日本型４点支持アーチ理論」（図５）における基点ア・イ・ウ・エのいずれかが、歩行改善効果により数ミリ移動したり、この基点に掛かる足圧が大きく変化したときである。
たとえば全身の骨格の動的アライメントを補正するという免震（免振）機能を有する靴類の中敷きを用いて日常的に歩行した場合、人体は全身の筋肉を動員して歩行するようになるため、体重が急激に減少したり脚力の強化に伴う歩行姿勢や歩行速度の急激な変化が起こりうる。
このような場合は足の骨格・靱帯・筋肉の特性や歩行改善効果を把握したうえで、植物性タンニンなめしによる食肉豚の皮革に残された足圧や摩擦痕等を確認しつつ各々のパッドの位置を前後左右に微移動したりパッドの硬さ、高さおよびその形状・面積を適切に調整する必要がある。
また本考案では、厚さ１０ｍｍ〜２５ｍｍもあるソフトな免震（免振）素材を用いるため、これを収納しうる靴類にはおのずと改造可能な領域が多く存在することになる。
たとえばリウマチ等による足指の変形が見られる場合でも、この中敷きを様々な方向からグラインダー等で切削することで突出した関節や爪等が靴の甲革に触れないように短時間で改造でき、さらに歩行時における苦痛も軽減されると共に加工コストの削減や即納も可能となるのである。
図８は免震（免振）機能を有する中敷きを格納する靴の甲革および靴底の断面図であり、改造空間は図８ケ上下からを削ることで容易に拡張することができる。またこの図８のように１０ｍｍ〜２５ｍｍもある分厚い免震（免振）中敷きを靴底に埋め込んでおけば靴自体は厚底靴にならず、つま先で地面等を蹴りやすくもなる。
つまり本考案には、だれが履くかわからない既成靴を多様な歩行特性に合わせてフイッティングしようとする際に問題となる改造可能な空間をあらかじめ確保しておくという機能が附随しているのであり、改造余力の大きな免震中敷を既成靴のなかに標準装備しておくことで特注靴を製造する頻度が低下し、改造費の低減および即納が可能となり、結果的に「整形外科靴」と呼ばれる分野における健康保険支出の抑制や家計における医療支出を軽減しうる技術となるのである。
（ニ）本考案の中敷きは靴と合わせると半足あたり約２５０グラム〜５００グラムあり、決して軽い靴ではない。
これまでの靴メーカーの発想は「歩行時の負担を軽減するために極力軽い靴を造る」というものであった。
しかし、現代人は１日に歩く時間と距離がおおむね限られており、このことが脚力低下の原因になっているのである。
そこで本考案では、あえてやや重めの靴と免震（免振）中敷きを組み合わせている。
実はこのやや重めの靴が限られた歩行時間や歩行距離の中で効率良く骨格や筋肉に負荷を与え、足腰の筋肉を強化したり骨密度を高めると共に、足を前方に踏み出しやすくする「振り子のおもり」の役割を果たすのであり、弾力性に富んだ免震（免振）機能を有する中敷きが足を前に押し出す際のバネの役割を果たしている。
（ホ）人体には直立時もしくは二足歩行時におけるバランス保持機能が備わっており、その身体構造も揺れのエネルギーを骨格や筋肉等で吸収しやすい制振構造となっている。
また人体は歩行や運動時の揺れや慣性のエネルギーを吸収し身体のバランスを保つために上肢や腰部もしくは頭部を前後左右に動かすことで迅速に身体の重心の不均衡を回復しようとする。
免震（免振）構造を有する中敷きはこうしたヒトの制振機能を足元から支え補完するものであるが、その際たとえば骨折や足の関節の変形等で特定の関節や筋肉が機能しにくい場合、その機能しにくい部位もしくはおおむねその対角線上に位置する上肢や肩もしくは頭部に流動性のある液体と少量の気体を封入した弾力性のある容器を「ある種のおもり」としてマジックテープ等で固定することでスタビライザーの役割を発揮させる。（図９）
これにより人体は歩行時や運動時にさらにバランスを保持しやすくなり、免震（免振）構造を有する中敷きと人体に生来的に備わっている制振機能をより融合しやすくすることで歩行機能や運動機能を改善向上させるのである。
【実施例】
【０００６】▲１▼まず歩行機能もしくは運動機能を改善向上しようとする人体に、カイロプラクティックもしくは整体等の療術を施術するか、骨盤体操もしくは股関節体操を実施し、必要があれば骨盤矯正ベルトやテーピング等を行って骨盤を中心とした骨格のバランスを回復させる。特に踵骨および居骨の矯正や中足骨の矯正が必要な場合はテーピングやサポーターもしくは関節アライメント効果を有するタイツや靴下類の装用を併用し骨格のバランスを維持する。
▲２▼次にあらかじめ足を入れ大きさを確認し選択しておいた靴類のに格納されている免震（免振）機能を有する中敷きを取り出し、背筋を伸ばして椅子に座った姿勢で中敷きの上に足を載せ、中敷きの踵部分の中心に踵骨の中心が収まるよう足を載せる。
この際、中敷きの爪先部分に約１センチの余裕があることを必ず確認する。
椅子に座った姿勢で中敷きの上に足を載せた場合と、立位で全体重を中敷き上に載せた場合では足囲（爪先部分の円周）等に誤差が生じるからである。
なお、ユーザーが持ち込んできた靴類に免震中敷きが格納可能である場合も手順は同様である。
▲３▼拇指球（第１指中足骨前方関節の最高点）を手で探り、その直下の中敷側面に油性ペン等で印を付ける。同様に小指球（第５指中足骨前方関節の最高点）を手で探り、その直下の中敷側面に油性ペン等で印を付ける。これは図５のイ・ウの基点を特定する作業である。
▲４▼さらに前項▲３▼で付けた印を直線で結び、この線上から爪先方向２０ｍｍ〜３０ｍｍの範囲に中足骨パッド（図５のエ）の中心が来るようにこれを固定する。
▲５▼また踵骨のズレを防止する目的で図７のキのようにＵ字形パッドを固定し、さらに内くるぶしの直下に脚部の血流を改善し踵骨の前滑りを防止するために、図５のア〜イを結ぶ横アーチを支える血流アーチパッド（図７のカ）を固定する。
なお、この図７に示すエ・キ・カの各パッドの素材はおおむね免震（免振）機能を有する中敷きと同一のものとし、その弾力性・面積・高さ・位置・形状は、年齢や脚力および足腰のトラブルもしくは３Ｄスキャナーによる解析データや足と靴のフィット感に合わせて適時選択する。
▲６▼３つのパッドを各々固定したら中敷きの表面に、植物性タンニンなめしによる食肉豚の皮革を裏返し（バックスキン）に固定する。
その際、バックスキンはパッドの微調整のために剥がしやすいように接着力の弱い接着剤を使用すると良い。
▲７▼免震（免振）中敷きを靴に入れ、２〜４週間ほど足慣らしを行い靴の変形がほぼ治まった時点で、中敷きを取り出し中敷きの表面に貼られた豚革の汚れや摩擦痕もしくは足圧の分布状況から歩行時運動時における骨格等の連続運動の記録を読みとり、二つのパッドの位置の微調整や関節アライメントを補佐するための三つ基点の各々の高さを調整し、弾性低下の素材等があればこれを交換し、さらに必要であれば脚力の向上や年齢・体重・体調・季節・心理等の変化等に合わせて適時これらのチューニングを繰り返す。
【考案の効果】
【０００７】本考案の特徴は着脱可能かつ改造余力の大きな免震（免振）中敷きを靴類に入れることで、運動不足や生活習慣のなかで歪みやすい骨格や骨盤を歩行することで揺さぶり、これにより足元から全身の関節配列（アライメント）を補佐し、その持続を可能にすることにある。またこの技術は安全かつ無害で苦痛がなく、高齢者の健康維持増進や障害者の歩行運動機能の向上にも貢献しうるものであり、以下のような多くのトラブルに関して改善効果が見られる。
このほかの有利性は以下の通りである。
▲１▼我が国の履物文化等の特異性に着目した技術であるため我が国における外反母趾・腰痛等の予防と歩行および姿勢の改善効果が顕著である。
特に外反母趾については骨盤の歪みを補正することで拇指球や小指球に掛かる偏った足圧を軽減でき、この部分の痛みを軽減し外反母趾等の進行を防ぐことが可能である。
また、「コンニャク足」と呼ばれるファッションを優先したために起こる著しい脚力低下や、歩行を忌避する世代、歩行をストレスと受容する世代の増加による慢性的な脚力の低下の予防と改善に効果がある。
▲２▼中敷きの厚さが１０ｍｍ〜２５ｍｍあるため、脚長差の補正では単に中敷きの踵部分をカットするだけで済み、姿勢改善や歩行機能の向上およびＯ脚やＸ脚の改善が容易かつ安価で各関節に掛かる負担や衝撃が少ない。
▲３▼免震中敷きにより歩行時の脳のストレスを軽減し、歩行による健康の維持増進効果を高め生活習慣病の予防と改善が可能である。
▲４▼足の裏のマッサージ効果による冷え性・足の「むくみ」や「しびれ」等の改善および足にできる魚の目やタコの改善に効果がある。
▲５▼リウマチや股関節・膝関節等の変形部位への衝撃の緩和等、特定の関節への負担を免震（免振）機能により分散することが可能である。
▲６▼看護師・電気ガス水道等のメーター検針員・宅配便運転手等の労働環境から生じる足腰膝痛等のトラブルの改善に効果がある。
▲７▼心理的原因による歩行特性の変化の改善。
▲８▼歯の噛み合わせの改善や音楽関係者の音域声量の拡大および息継ぎの改善。
▲９▼スポーツ競技者のフォームの補正や腰痛・膝痛等の改善。
▲１０▼成長期の子供・児童・生徒の姿勢改善および「ひきこもり」や不登校の改善。
▲１１▼医者に掛かることの時間的経済的負担の軽減、入院に伴う脚力の低下、院内感染や輸血に伴う様々な感染症の回避、医療過誤や医療上のモラルによって生じる様々なリスクの回避、手術の後遺症や術後のリハビリにおける苦痛と費用の軽減。
▲１２▼歩行改善効果が靴医学会で否定された高価なドイツ式整形外科靴や足底挿板（足底板）に代わる、我が国固有の免震（免振）中敷きの普及により無用の保健請求を減らし、行政が負担してきた整形外科靴に関する医療費支出を大幅に削減できる
▲１３▼本考案は義足や歩行を補助する装具を使用している場合に生じる歩行時における重心の不均衡を免震中敷きとスタビライザーにより安価に迅速に改善しうる。
▲１４▼約１０分ほどで中敷きの加工が済み、靴類と中敷きはその場でユーザーが履いて帰ることができる。
【図面の簡単な説明】
【０００８】
【図１】ドイツ式および欧米系「三つのアーチ理論」の模式図  この場合イ〜ウのアーチは中心に向かってアーチ型に配列される
【図２】免震（免振）構造及び免震（免振）機能の概念図
【図３】地震に強い高層ビルの制震（制振）構造の模式図  人体の骨格構造もこの模式図も柔構造の制震（制振）構造という共通点がある
【図４】中足骨部分が窪んだ欧米系の中敷きでは前アーチ（イ〜ウ）が落ち込み逆アーチとなり五つの関節が放射状に配列され外反母趾や内反小指になりやすくなる
【図５】日本型４点支持理論の模式図と免震中敷きの断面図  エの中足骨パッドはドイツ式足底挿板の中足骨パッドに比べ２０ｍｍ〜３０ｍｍ前方に固定しソフトな素材を用いる
【図６】従来の中敷きにおける腫骨固定パッドの使用方法
【図７】日本型４点支持理論における腫骨固定パッドの使用方法と三つのパーツの配置概念図
【図８】免震中敷きを格納しうる靴類の断面図
【図９】流動性のある液体を封入したバランサーもしくはスタビライザーの概念図
【符号の説明】
【００１０】アは腫骨最下点である
【００１１】イは拇指球（第一指中足骨前方関節）の最下点である
【００１２】ウは小指球（第五指中足骨前方関節）の最下点である
【００１３】エは日本型４点支持理論における中足骨パッドである
【００１４】オは従来のＵ字型腫骨固定パッドの固定方法である
【００１５】カは腫骨の前方への滑りを防止し足底部の血流を改善する流線型の腫骨固定パッドである
【００１６】キは日本型四点支持理論におけるＵ字型腫骨固定パッドの固定方法である
【図１】
0003103236.tif 000002
【図２】
0003103236.tif 000003
【図３】
0003103236.tif 000004
【図４】
0003103236.tif 000005
【図５】
0003103236.tif 000006
【図６】
0003103236.tif 000007
【図７】
0003103236.tif 000008
【図８】
0003103236.tif 000009
【図９】
0003103236.tif 000010
【手続補正書】
【提出日】平成15年9月1日(2003.9.1)
【手続補正１】
【補正対象書類名】明細書
【補正対象項目名】全文
【補正方法】変更
【補正の内容】
【考案の詳細な説明】
【考案の詳細な説明】
【０００１】
【技術分野】本考案は、「靴のフィット性を改善する方法」（特許公開平５−１８４４０９）とか、「靴が足に合う、合わない」「歩きやすい、歩きにくい」「足が痛い、痛くない」といった問題や、これらのトラブルを改善すべく考案された「足の裏の形状をそのまま複製して造られた各種中敷き類」等の先行技術と単純に同一視すべき考案ではない。本考案では、人体は２０６個の骨格の積み木であり、歩行とは足がこれらの骨格や骨盤を支えつつ脳が全身のバランスを取りながら移動するダイナミックな連続運動であり、靴はその足元を安定させる土台として機能していると捉えている。本考案はこの靴という土台の上に建築における免震（免振）機能の役割を果たす中敷きを設置することで、足元から全身の関節配列（アライメント）を補佐し、人体の重心の不均衡を緩和し、さらに脳のストレスを緩和し、骨盤を中心とするバランスの取れた骨格や筋肉を形成しやすくする技術である。また人体に生来的に備わっている重心の不均衡を補正しようとする制震（制振）機能を補うために免震（免振）機能を有する中敷きと流動性があるバランサーもしくはスタビライザーを上肢等に固定し、両者を組み合わせることで歩行改善効果を高めたり歩行運動効果の効率をより高め、生活習慣の中で生じる骨格の歪みや心理的な影響による骨盤等の歪み等を補正しやすくする技術である。【０００２】
【背景技術】我が国におけるこれまでの歩行改善技術は欧米系の歩行理論である「３つのアーチ理論」（図１）に基づいたものであって、この理論は世界的に広く流布しているが我が国の実情に即した理論ではなかった。たとえば欧米人と日本人では依然として身長体形及び骨格・筋力に明確な違いがある。また固い乾燥した地面や石畳の上を木靴や固い革底の靴で歩いてきた欧米人の数千年に及ぶ履物の歴史に比べ、我が国の履物の歴史は短く草が生えた湿った柔らかい地面の上を素足や草履等で歩いたり、畳の上の生活が長かったという特徴がある。たとえば我が国においては「靴を日常的に常時装用する生活文化」が完全定着して未だ４０年ほどでしかない。我が国の５０代半ば以上の世代では、高校卒業時までは通学時には下駄を履き、学校の上履きはゴム草履、運動の時間は裸足というのがほとんどであった。また欧米では起床と同時に靴を履き就寝まで靴を装用し続けるという履物文化を有しているのに比べ、我が国では起床後素足やスリッパで家の中を歩き回ってから靴を履くという履物文化を維持している。そのうえ我が国では、依然として履物を脱いで家に上がるという履物文化を有しており、特に我が国の主婦は家の中では素足やスリッパで生活し外出時にのみ履物を装用するという、いわばべた足歩行と履物歩行を日常的に何度も往復するという特異な履物文化を有しているのである。従って我が国ではまだ、靴という外来の履物に完全に骨格が適応しきっていない可能性が強いのである。そのうえ主婦や若い女性は買い物や散歩または「お出かけ」のつど、ミュールサンダルやスニーカー・ハイヒール等の履物としての構造が大きく異なり、歩行特性や姿勢を著しく変化させるような構造を有する履物を日常的に履き替えているのが実情である。さらに我が国では慢性的な運動不足に加え、交通機関がくまなく発達し、ほとんどの道路は固く舗装され、住宅の中の畳の面積が減少する一方で各所にエレベーターやエスカレータが設置され、ビルや住宅の中ではきわめて固い段差のない床面積が増加している。つまりバリアフリー社会の進展そのものが現代人の脚力不足を助長している側面があり、古い欧米系の歩行理論ではもはや対応しきれない現実に直面している。また高齡社会の進展に伴い骨粗しょう症や転倒による骨折およびリウマチ等の歩行困難者の増加や、ファッションのみを重視し外見を優先する若者の増大による「コンニャク足」（著しく脚力が低下したため幼児のように足首から先が柔らかくなってしまった足）や外反母趾等の増加、および成長期にある幼児・学童・学生等の著しい脚力の低下も憂慮され、短時間であっても直立していられない「ジベタリアン」と呼ばれる特異な世代も出現している。一方、欧米系の歩行理論である「三つのアーチ理論」は、歩くことが当たり前の時代に生まれた古い技術であり、我が国ではいま歩くことすら忌避され、交通手段の発展により歩行機会そのものが失われつつある時代を迎えていて、「三つのアーチ理論」が我が国の実情にそぐわない理論や技術となっている。また欧米系の歩行理論である「三つのアーチ理論」は、起床時に履いた靴は就寝まで履き続けるという欧米の履物文化を前提にしており、我が国の主婦のように家の中ではべた足（スリッパ生活を送り、しかも外出のつどサンダルやスニーカーまたはパンプスというように構造が著しく異なる複数の履物の間を日常的に往復するという特異な履物文化を全く想定していないのである。つまり欧米系の「三つのアーチ理論」は、我が国の靴装用に関する歴史の浅さや生活習慣による履物文化のちがい及び骨格体形筋力等の差異すらまったく考慮していない理論といわざるを得ないのである。また「三つのアーチ理論」にもとづく欧米系の靴や中敷きや足底板（足底挿板）は、一部に足当たりをソフトにすために数ミリ厚のウレタン等が表面にのみ貼り付けられているものもあるが、その構造材自体はきわめて硬く、足首から先に骨格と筋肉と靭帯による強靭な三脚を強制的に構築することで歩行機能を改善するものであり、（この理論自体は欧米人に適合しているとしても）実際に日本人が装用すると図４のように靴の中で爪先の骨格が逆アーチとなり足の裏に魚の目やタコができやすく、中敷きが薄くて固いために衝撃吸収性が劣り膝や股関節に着地の衝撃が伝わるという欠点があった。実は我が国で広く普及しているドイツ靴は、第二次世界大戦により国土の大半が瓦礫の山と化し、足を負傷した国民が多かったというドイツの国情から生まれた靴であり、トレッキングシューズに近い強固な造りを特徴としている。またこのドイツ靴の中に入れられている中敷きは完全に規格化されていて、歩行のトラブル別にあらかじめ量産された既成の中敷きが用意されており、販売者は購入者の足のトラブルとフットプリント（足の裏にインク等を付着させ、静止状態の足形を平らな紙の上に写し取る手法）をもとに歩行特性の判定を行い、あらかじめ用意された既成の中敷きの中から駭当する番号のついた中敷きを選び出して購入者に提供しているにすぎないのである。しかしこの手法では、静止状態の足の骨格と歩行という連続運動における足の骨格は同一であるという重大な誤謬が前提になっているのであり、特に全身の骨格や関節のアライメントを補助したり持続させるには不充分な技術だったのである。なお、先行技術として靴底そのものに免震素材を用いるという技術も存在するが、免震素材は靴底としては柔らかすぎ靴底がすり減りやすく、その結果むしろ骨盤等を歪めるおそれがあり、靴底に免震素材を用いることで生じる効果もつまびらかにされていない。さらに平成１４年９月２７日開催の第１６回日本靴医学会学術集会（仙台市）における論文（論文名「ドイツ式整形靴・足底挿板が外反母趾角開帳度に及ぼす効果」永生病院整形外科  赤来家康・今井安秀  ドイツ靴メーカー「フスウントシューインスティチュート」遠藤  拓・ルッツベーレ・オリバーシュピッツによる日独合同研究）においてドイツ式整形外科靴および足底挿板は欧米人には適合しても日本人には適合しない旨明確に否定された。これは欧米との履物の歴史や文化の差異に加え、「三つのアーチ理論」の基点となる三つの骨格ポイントを特定する手法が主に「フットプリント」等に代表される静的状態の足形を判定の根拠にしていたために生じた当然の帰結と思われる。このためこれらの欠点を改善し、我が国の履物の歴史や履物文化に適応し、かつ歩行運動効果や歩行改善効果を高めるような独自性・新規性を有する中敷きの考案が待たれていたのである。【０００３】
【考案が解決しようとする課題】
人体の骨盤は柔らかなソファーに座ったり、膝組み・横座り・あぐら座り・慢性的な運動不足等の日常的な行為で歪みやすいことは一般的に良く知られている。ところが医師は、日常生活の中で歪みやすいという骨盤の特徴を忘れ、高血圧症や肥満・糖尿病等の生活習慣病の患耆に対し必ずウォーキングを奨める。しかし骨盤を正しく支える機能が備わっていない靴を履いて歩くと骨盤は日常生活の中で生じたゆがんだままの状態で歩行することになり、その結果人体の骨格は足元から頭部にかけて３次元のＳ字型に蛇行し、歩行姿勢は前後左右に歪み重い頭蓋骨はバランスを取ろうとして傾くため頚部が凝ったり歯のかみ合わせまで変えてしまう。また不安定な姿勢で歩くことで、歩行者は意識していなくても脳は常に全身のバランスを取ろうとして無意識緊張し、それがストレスになりかねないのである。つまり現代人にとって、歩くこと自体がストレスになっているのであり、このストレスのために歩いたあと疲労感が残り、甘い飲み物やビールが飲みたくなったり、単にお腹がすいて間食してしまうのである。ちなみにスポーツ医学の分野では、ウォーキング（及び運動）は、バランスがとれた骨格で行わなければ集中力が低下し、バランスのとれた筋肉も付きにくく、骨密度を高めることも難しいといわれている。また従来のスニーカーや一部のウォーキングシューズに採用されている様々なショックアブソーバー構造やサスペンション構造は、詰まるところ単なる衝撃吸収や靴底の弾力性の向上か、欧米系の歩行理論にもとづく足首から下の「三つのアーチ」の補正にとどまっており、その目的は骨盤や骨格を関節アライメントにより補正するものではなかったのである。たしかにドイツ系の靴と中敷きには足首から下に骨格と靭帯および筋肉が複合的に形成した「三つのアーチ」の構築を目的としたものが多いが、欧米人と日本人の骨格の差異および履物の歴史や履物文化の違いがまったく考慮されておらず、その効能は前記・日本靴医学界において否定された経緯もある。またドイツ系の中敷きの素材自体もコルク等のチップを樹脂類で成形した固い素材であるため衝撃吸収性が劣るばかりか、地面の凹凸や靴底がすり減った場合に生じる足元のひずみがそのまま膝や股関節を通じて骨盤にも伝わるといった欠点もあった。もしこうした骨盤の歪みを完全に補正しようとすれば、常に固い中敷を削る等の微細な調整が必要となり、費用や時間も掛かってしまい、現実的には欠点の多い理論や技術といわざるを得ない。ましてやドイツ系・欧米系の靴と中敷きでは、免震（免振）機能は備わっておらず、人体に生来的に備わっている制震（制振）機能を補佐する機能もないばかりか、人間は心理的な影響でも歩行姿勢が急変するという事態にはまったく対応できず、そうした事態すら想定していなかったのである。これに比べ本考案は免震（免振）機能を有し、元来人体に備わっている制震（制振）機能を補佐する機能を有する靴中敷きにより、歩くことで生活習慣の中で歪みやすい骨盤のバランスを回復させ、バランスの取れた足腰の筋肉を形成させるとともに、骨盤や股関節を歩くことで常に正しい位置に揺り戻し、これにより上半身の骨格のゆがみを補正しようとするものである。そして、こうした一連の現象が足元から全身の骨格に関節配列（アライメント）として伝わり、歩行というダイナミックな連続した運動を通じて歩行本来の機能の回復や健康の増進を実現させるのである。また加齢や体重の増減および心理的な影響による歩行姿勢の変化や靴底の摩耗が生じた場合でも、上半身の骨格の歪みや揺れを免震（免振）構造により吸収し、人体に備わっている制震（制振）機能を補佐する中敷きの作用により、足元から骨盤を支えそのバランスを保つことで歩行姿勢を補正し、転倒や腰痛等も未然に防ぐことが可能となる。さらにリウマチ等の障害により足指の関節が変形している人の靴を造る場合、従来は足の形をした靴を特注品として加工していたが高価であり、製作に１ヶ月以上は掛かるのが実情であった。本考案は、中敷きに厚さ１０ｍｍ〜２５ｍｍもあるソフトな免震素材を用いるため、この厚さの中敷きを収納しうる靴類にはそれだけの改造可能空間があらかじめ備っていることになる。このためこの中敷きを足指の閧節の変形に合わせて部分的に１０ｍｍ〜２０ｍｍ削ることで、靴そのものを特注しなくても変形した関節を容易に収納することができるのである。また現代人は手ぶらで歩行することがほとんどなく、手提げ鞄や肩掛け鞄・リュック等何らかの骨格に影響を与える一種のおもりを携行するのが常である。こうした状況に加え、人は心理的な要因でも歩行姿勢が急変したり骨盤等が大きく歪むことが起こりうる。さらに人間は加齡や体重の変化・妊娠等で骨盤や骨格のバランスが変化するが、それ以外にもたとえば嬉しいことがあればウキウキと歩き、不安や心配事があればうなだれて歩くのであり、その結果骨盤や骨格は微妙に変化し、それに伴って筋肉が伸縮し腰痛や肩こりが起こるのである。また人体の筋肉は脳からの微弱な電流によって伸縮するため、ストレスにより左右の足の長さも変化し、骨盤や骨格が歪む可能性もある。もともと筋肉は脳からの微弱な電流によってコントロールされているのであり、骨格が筋肉と靭帯によって支えられていることを考慮すれば脳のストレスが筋肉を萎縮させ骨格を変動させることは、むしろ当然の現象と言うべきである。従って常時骨盤や骨格のバランスを補正し、歩くことで骨盤のバランスを回復しつつ人間の心的影響による歩行特性の変化にも対応可能な靴類の中敷きの開発が真に必要のである。なお、現代では医者に掛かることが時間的負担となるばかりか、治療費の自己負担率の増加や入院に伴う脚力の低下、あるいは入院中の院内感染や輸血に伴う様々な感染、医師の技量やモラルの低下、様々な医療過誤、手術の後遺症、術後のリハビリにおける時間と費用の負担およびリハビリに伴う苦痛、その間の家族のさまざまな経済的負担の増加等、入院や手術には実に多くのリスクや負担が伴っているのが実情である。こうした状況にあって本考案は、多くの国民が直面している足腰のトラブルの軽減や、歩行による健康増進効果はもちろんのこと、正しいウォーキングによる生活習慣病の予防、およびその結果生じる各種健康保険支出の削減や家計における医療費負担の軽減、さらには我が国における歩行可能年齢を引き上げることに伴う介護費用の低減や、高齡者の外出機会の創出に伴う様々な消費の拡大など、本考案はきわめて広範囲な公益性及び経済的波及効果の大きい「総合的な足元からの健康づくり」に関する新規性のある技術の考案なのである。
【０００４】
【課題を解決するための手段】
人体は、地震に強い高層ビルと類似した柔構造を有している。否、地震に強い高層ビルの柔構造こそ人体の骨格の強靭さと「しなやかさ」をモデルに開発されたものといっても過言ではない。周知のように強い地震に耐えうる高層建築物の基礎と土台の間には強靭なスプリングや厚い防震ゴム等が挟み込まれており、このスプリングや厚い防震ゴムが地震のエネルギーを吸収しビルの倒壊や損壊を防いでいる。これが建築における免震（免振）構造であり、図２のハンマーを支える手がこれにあたる。また柔構造を有する高層ビルの内部にあって、地震の揺れのエネルギーを吸収し揺れを抑える機能が制震（制振）構造（図３）である。人体の場合、２足歩行や静止直立をしていても骨盤を中心とする骨格とそれらを支える各種筋肉および靭帯は、脳の指令によって一体となってバランスを取り横揺れや縦揺れ等を吸収することで制震（制振）機能を果たしている。ところがこれまで２足歩行を行う人間の足元には本格的な免震（免振）構造が欠如していたのであり、ショックアブソバー機能や名目的なサスペンション機能をうたった靴や中敷きは考案されていても、人体が生来的に保有する制震（制振）機能を補佐したり補完する目的で考案された免震（免振）中敷きは考案されていなかった。むしろ人体にこそ足元から全身の骨格を支える免震（免振）機能を有する靴中敷きが必要なのであり、「三つのアーチ理論」もそれを土台から支える免震（免振）構造があってこそ充分機能を発揮でき、免震（免振）構造と「三つのアーチ理論」が一体化したとき始めて骨盤を中心とする骨格とそれらを支える各種筋肉および靱帯が結合して、よりダイナミックな制震（制振）機能が発揮され、脳による身体のバランスコントロールが容易になるのである。ところが従来からある「三つのアーチ理論」は、土台となる靴中敷きに固いコルク混入成形素材やせいぜい厚さ３ｍｍ〜５ｍｍ程度の衝撃吸収素材を使用している。こうした固い素材や薄い中敷きでは、足元から全身の関節配列（アライメント）を補正することが不十分であるばかりか、歩行中に遭遇する地面の凹凸や靴底の摩耗、さらには手や肩に下げた荷物の影響による骨格の歪みさえも直接骨盤に伝えるという欠点を有していたのである。これに比べ本考案は、あえて中敷きに厚さ１０ｍｍ〜２５ｍｍもあるソフトな免震（免振）素材を用いることで、従来の靴や中敷きでは実現不可能であったより高度な免震（免振）機能を付与することができる。またこうすることで足の裏にかかる重心の一局集中を分散し、足の裏にできる魚の目やタコを防ぎ、歩行中の脳のストレスを減らすと共に、加齢や体重の変化もしくは心理的な影響による歩行姿勢の変化が生じた場合でも、歩行中の骨格特に骨盤を足元から支えつつ全身の骨格の動的アライメントの補正や全身の骨格のバランス補正を行う。また免震（免振）機能を有する中敷きは素材自体のスプリング効果により足を前に押し出すため、容易に足が前に踏み出しやすくなり、歩行可能距離が向上し脚力の向上をもたらす。なお、免震（免振）機能を有する中敷きを格納する靴類にはあえて変形しやすい皮革等の素材を用い、２〜３週間の足慣らしにより靴等が変形し、あたかも特注品であるかのように足に馴染んで来るような素材や製法を選択する。
【０００５】
【考案を実施するための最良の形態】（イ）我が国では日常的に靴を履く習慣はまだ４０年ほどしかなく、さらに日常的に家の中では「べた足」であり外出するときだけ靴を履くというと欧米の歩行理論を想定していない履物文化を有しており、人々の足が靴という「入れ物」にまだ完全に適応していない可能性が濃厚である。従って欧米で考案された「三つのアーチ理論」をそのまま我が国に適応することは無理があるばかりか、足や腰のトラブルを増加させてしまうおそれすらある。また「三つのアーチ理論」に基づいて製作されたドイツ式中敷きは、どれもが画一的であって、その目的は靴の中に強制的に「三つのアーチ」を構築することで一時的な「歩きやすさ」をもたらす程度の機能しかないと断言せざるをえない。なぜなら「三つのアーチ理論」に基づいて製造された靴の中底や中敷きは、すべてつま先の中足骨部分が「すり鉢状」に窪んでおり、この窪みに母指球（第１指中足骨前方の関節部）と小指球（第５指中足骨前方の閧節）を結ぶ前アーチが落ち込み、我が国のようにべた足で家の中を歩き回ってから靴に足を入れると爪先が「逆アーチ」となってしまい、この時点ですでに「三つのアーチ理論」が破綻してしまうからである。（図４参照）実はこの現象こそが我が国における様々な足や腰のトラブルを助長しているのであり、この「逆アーチ」部分に魚の目やタコが発生する事例が多発している。そこで本考案では我が国の実情を踏まえ、免震（免振）機能を有する靴中敷きの中足骨部分に一種の枕をはさみ込み、ここを常時持ち上げることで「三つのアーチ」を形成させ、この「三つのアーチ理論」が本来求めていた骨格形態を復元することで、足首からつま先までの範囲に柔軟性のある「三つのアーチ」を構築し、これにより安定した歩行を実現するのである。なお本考案では便宜上これを以後「日本型４点支持アーチ理論」と定義する。欧米系「三つのアーチ理論」（図１）と、本考案である「日本型４点支持アーチ理論」（図５）を対比されたい。欧米系「三つのアーチ理論」（図１）における三つの基点は、▲１▼踵骨の最下点（図１ア）▲２▼足の親指（第１指）の付け根（けい骨側中足骨最下点：図１イ）▲３▼足の小指（第５指）の付け根（ひ骨側中足骨最下点図１ウ）である。この場合図１イと図１ウを結ぶ関節がアーチの中心に向かって配列していることに注目されたい。これに対し「日本型４点支持アーチ理論」（図５）では、エの枕（中足骨パッドもしくはペロッティ）が追加された形となる。なお図５におけるエの中心ないし基点を特定するための計測法は以下のとおりである。まず免震構造（機能）を有する中敷の上面に裸足もしくは靴下を着用した足またはテープ等で足形を補正した足を直接載せ、▲１▼踵骨の最下点（図５ア）▲２▼足の親指（第１指）の付け根（けい骨側中足骨最下点  図５イ）▲３▼足の小指（第５指）の付け根（ひ骨側中足骨最下点図５ウ）を指で触れて探し出すか、または目で確認するか、もしくは３Ｄスキャナー足型計測器により特定し、免震中敷き側面等に目印を付ける。次に図６イと図６ウを直線で結び、その中間点と図５アを結ぶ直線上２０ｍｍないし３０ｍｍの範囲に中足骨アーチ（５図イ〜ウ）を支える枕（中足骨パッドもしくはペ���ッティ）の頂点もしくは中心を固定する。このパッドの形状はおおむね水滴形とするが、歩行特性に合わせてその形状・面積・位置・厚さ・固さ等を個別に調整する。さらに図５アがすべての原点となるため、踵骨が前後左右に動かないようにするために固定し滑り止めをする必要があるが、従来の技術では踵骨の固定方法としてＵ字型のパッドを踵の後方より爪先に向かって固定してきた（図６オの状態）が、本考案では免震中敷きと同様の素材を用いて図７キのように爪先側から踵に向かって逆向きに接着剤等で固定する。こうすることで踵骨は靴の中で前後左右に滑らなくなり、踵から着地した場合の安定性を向上することが可能となる。またこの踵骨固定方法は、正座習慣や脚力低下等により踵骨および距骨が動きやすい場合や、ハイヒールのように靴の中で足が前方に滑りやすい場合に特に有効であり、さらに踵骨を固定する必要がある場合は内くるぶしの真下に同様の素材で成形された流線型のパッド（図７カ）を追加し固定することでより踵骨を固定でき、これにより足底動脈を適度に圧迫することで足の冷えやむくみ、しびれ等の改善も可能となる。ちなみにこれらのパーツの素材および中敷き本体の素材は高密度発泡樹脂および多孔質シリコンもしくはゴム等の弾力性に優れた素材を使用し、特に免震（免振）機能を持つ中敷きはその中敷きを装用する人の年齡・体重・骨格・脚力・歩行特性・靴の用途に合わせて選べるよう各種の特性を有する高密度発泡樹脂および多孔質シリコン等や、精密機械の各種防震ゴム素材等適時選択したり、これらを組み合わせることができるようにする必要がある。
（ロ）従来の中敷きに使用されてきた中敷きの表面に貼る敷皮は皮革もしくは合成皮革ないし各種繊維布等であり、これらは意図的に靴に足が滑り込みやすく、しかも汚れにくく汚れが目立ちにくい素材や色彩が用いられてきた。このため従来の敷皮では敷皮に付着した汚れや摩擦痕から靴装用歩行における連続した骨格の動きや足指の動きおよび加重バランスを読みとることが困難であった。たとえばこの課題に取り組む先行技術として、歩行時における足圧（足の裏にかかる体重と靴底からの衝撃を総合した圧力）を測定すべく圧力センサーをコース上に敷き靴を脱いでその上を歩かせたり、薄いシート状の圧力センサーを履物の中に入れ平面的なコースを歩かせることで足圧をデジタル測定する技術が存在する。しかし、屋外の歩道等は決して平面ではないし、現代人はほとんど手ぶらで歩くことがなく常になんらかの手荷物を携行しながら歩行しており、季節や天気・気温・湿度・体調・靴類のかかとの高さ・ファッション・気分等で歩行特性は変化し、骨盤もその影響を受けざるをえないのであり、圧力センサーを用いて計測した室内データは実際の歩行特性とは無縁のデータでしかなく、このデータに基づいて靴中敷きを調整加工してもほとんど意味がないのである。これに比べ本考案では、歩行もしくは運動等におけるダイナミックな連続運動の記録を採取するために、あえて汚れやすく足圧が残りやすい素材特に植物性タンニンなめしによる食肉豚の皮革を免震構造を有する靴中敷の表面に貼っている。これにより、より鮮明な足圧の汚れや摩擦痕が得られ、これを解読することで日常的かつ連続的な歩行特性や運動時の重心等が把握しやすくなるのである。その際、豚革は豚革の裏面が足の裏に接触するようにバックスキンとして接着しておくと、歩行時に足圧が掛かった部分は起毛が漬れたり摩耗して光沢が生じ、汗や皮脂の痕跡が残りやすくなり、歩行やスポーツにおける連続運動の生きた記録が正確に採取できるようになる。またこの素材を用いた場合、免震素材は圧力を受けた部分のみが瞬間的に窪むという特徴と結合して、歩行のエネルギーを無駄なく地面に伝えることができ、歩行による疲労を少なくする効果も得られる。さらに豚革のバックスキンは起毛状態にあるため足の裏の汗等を良く吸収し、さらに靴を脱いだあとは起毛面が大気に触れることで乾燥が促進されるメリットもある。また豚革のなめしに用いるタンニンやカテキンは靴の中の雑菌の繁殖を抑えてくれると同時に、免震（免振）構造を有する靴中敷きと一体となって足の裏をマッサージするため血行が良くなる。「足は第二の心臓」といわれるが、本考案は一歩足を踏み出すたびに足の裏をソフトにマッサージすることで血行を改善し、新陳代謝を活発にするという機能も有しているのである。
（ハ）次に本考案の実施にあたっては、免震（免振）機能を有する靴類の中敷きを用いて歩行する人体の歩行特性や足腰のトラブルに合わせて、必要に応じてこの中敷きを適時補正する方法を説明する。なぜなら人体は、加齢や体重の変化・心理的影響もしくは季節の変化・健康状態・妊娠等で骨盤や骨格のバランスが変化し姿勢も変化すると同時に、靴の変形や靴底の摩耗およびパッド等の弾性低下が不可避釣に発生するからである。しかし、免震（免振）機能を有する靴類の中敷きには、歩行しながら全身の骨格の動的アライメントを補正するという機能があるため骨格の微小な変化や靴底の軽度の摩耗および中敷き素材のヘタリ（弾性低下）に関しては、中敷き自体のチューニングがほとんど必要ない。むしろチューニング必要なのは、芝生の上を素足で歩くような柔らかさを特徴とする免震（免振）機能を有する靴類の中敷きを用いて歩行することで、全身の筋肉をほぐし骨格や骨盤の歪みを足元から補正したとき、「日本型４点支持アーチ理論」（図５）における基点ア・イ・ウ・エのいずれかが、歩行改善効果により数ミリ移動したり、この基点に掛かる足圧が大きく変化したときである。たとえば全身の骨格の動的アライメントを補正するという免震（免振）機能を有する靴類の中敷きを用いて日常的に歩行した場合、人体は全身の筋肉を動員して歩行するようになるため、体重が急激に減少したり脚力の強化に伴う歩行姿勢や歩行速度の急激な変化が起こりうる。このような場合は足の骨格・靭帯・筋肉の特性や歩行改善効果を把握したうえで、植物性タンニンなめしによる食肉豚の皮革に残された足圧や摩擦痕等を確認しつつ各々のパッドの位置を前後左右に微移動したりパッドの硬さ、高さおよびその形状・面積を適切に調整する必要がある。また本考案では、厚さ１０ｍｍ〜２５ｍｍもあるソフトな免震（免振）素材を用いるため、これを収納しうる靴類にはおのずと改造可能な領域が多く存在することになる。たとえばリウマチ等による足指の変形が見られる場合でも、この中敷きを様々な方向からグラインダー等で切削することで突出した関節や爪等が靴の甲革に触れないように短時間で改造でき、さらに歩行時における苦痛も軽減されると共に加工コストの削減や即納も可能となるのである。図８は免震（免振）機能を有する中敷きを格納する靴の甲革および靴底の断面図であり、改造空間は図８ケを上下からを削ることで容易に拡張することができる。またこの図８のように１０ｍｍ〜２５ｍｍもある分厚い免震（免振）中敷きを靴底に埋め込んでおけば靴自体は厚底靴にならず、つま先で地面等を蹴りやすくもなる。つまり本考案には、だれが履くかわからない既成靴を多様な歩行特性に合わせてフイッティングしようとする際に問題となる改造可能な空間をあらかじめ確保しておくという機能が附随しているのであり、改造余力の大きな免震中敷を既成靴のなかに標準装備しておくことで特注靴を製造する頻度が低下し、改造費の低減および即納が可能となり、結果的に「整形外科靴」と呼ばれる分野における健康保険支出の抑制や家計における医療支出を軽減しうる技術となるのである。
（ニ）本考案の中敷きは靴と合わせると半足あたり約２５０グラム〜５００グラムあり、決して軽い靴ではない。これまでの靴メーカーの発想は「歩行時の負担を軽減するために極力軽い靴を造る」というものであった。しかし、現代人は１日に歩く時間と距離がおおむね限られており、このことが脚力低下の原因になっているのである。そこで本考案では、あえてやや重めの靴と免震（免振）中敷きを組み合わせている。実はこのやや重めの靴が眼られた歩行時間や歩行距離の中で効率良く骨格や筋肉に負荷を与え、足腰の筋肉を強化したり骨密度を高めると共に、足を前方に踏み出しやすくする「振り子のおもり」の役割を果たすのであり、弾力性に富んだ免震（免振）機能を有する中敷きが足を前に押し出す際のバネの役割を果たしている。
（ホ）人体には直立時もしくは二足歩行時におけるバランス保持機能が備わっており、その身体構造も揺れのエネルギーを骨格や筋肉等で吸収しやすい制振構造となっている。また人体は歩行や運動時の揺れや慣性のエネルギーを吸収し身体のバランスを保つために上肢や腰部もしくは頭部を前後左右に動かすことで迅速に身体の重心の不均衡を回復しようとする。免震（免振）構造を有する中敷きはこうした人体の制振機能を足元から支え補完するものであるが、その際たとえば骨折や足の関節の変形等で待定の関節や筋肉が機能しにくい場合、その機能しにくい部位もしくはおおむねその対角線上に位置する上肢や肩もしくは頭部に流動性のある液体と少量の気体を封入した弾力性のある容器を「ある種のおもり」としてマジックテープ等で固定することでスタビライザーの役割を発揮させる。（図９）これにより人体は歩行時や運動時にさらにバランスを保持しやすくなり、免震（免振）構造を有する中敷きと人体に生来的に備わっている制振機能をより融合しやすくすることで歩行機能や運動機能を改善向上させるのである。【０００６】
【実施例】▲１▼まず歩行機能もしくは運勳機能を改善向上しようとする人体に、カイロプラクティックもしくは整体等の療術を施術するか、骨盤体操もしくは股関節体操を実施し、必要があれば骨盤矯正ベルトやテービング等を行って骨盤を中心とした骨格のバランスを回復させる。特に踵骨および距骨の矯正や中足骨の矯正が必要な場合はテーピングやサポーターもしくは関節アライメント効果を有するタイツや靴下類の装用を併用し骨格のバランスを維持する。
▲２▼次にあらかじめ足を入れ大きさを確認し選択しておいた靴類のに格納されている免震（免振）機能を有する中敷きを取り出し、背筋を伸ばして椅子に座った姿勢で中敷きの上に足を載せ、中敷きの踵部分の中心に踵骨の中心が収まるよう足を載せる。この際、中敷きの爪先部分に１センチ以上の余裕があることを必ず確認する。椅子に座った姿勢で中敷きの上に足を載せた場合と、立位で全体重を中敷き上に載せた場合では足囲（爪先部分の円周）等に誤差が生じるからである。なお、ユーザーが持ち込んできた靴類に免震中敷きが格納可能である場合も手順は同様である。
▲３▼拇指球（第１指中足骨前方関節の最高点）を手で探り、その直下の中敷側面に油性ペン等で印を付ける。同様に小指球（第５指中足骨前方関節の最高点）を手で探り、その直下の中敷側面に油性ペン等で印を付ける。これは図５のイ・ウの基点を特定する作業である。
▲４▼さらに前項▲３▼で付けた印を直線で結び、この線上から爪先方向２０ｍｍ〜３０ｍｍの範囲に中足骨パッド（図５のエ）の中心が来るようにこれを固定する。
▲５▼また踵骨のズレを防止する目的で図７のキのようにＵ字形パッドを固定し、さらに内くるぶしの直下に脚部の血流を改善し踵骨の前滑りを防止するために、図６のア〜イを結ぶ横アーチを支える血流アーチパッド（図７のカ）を固定する。なお、この図７に示すエ・キ・カの各パッドの素材はおおむね免震（免振）機能を有する中敷きと同一のものとし、その弾力性・面積・高さ・位置・形状は、年齢や脚力および足腰のトラブルもしくは３Ｄスキャナーによる解析データや足と靴のフィット感に合わせて適時選択する。
▲６▼３つのパッドを各々回定したら中敷きの表面に、植物性タンニンなめしによる食肉豚の皮革を裏返し（バックスキン）に固定する。その際、バックスキンはパッドの微調整のために剥がしやすいようにあえて接着力の弱い接着剤を使用すると良い。
▲７▼免震（免振）中敷きを靴に入れ、２〜４週間ほど足慣らしを行い靴の変形がほぼ治まった時点で、中敷きを取り出し中敷きの表面に貼られた豚革の汚れや摩擦痕もしくは足圧の分布状況から歩行時運動時における骨格等の連続運動の記録を読みとり、三つのパッドの位置の微調整や関節アライメントを補佐するための三つ基点の各々の高さを調整し、弾性低下の素材等があればこれを交換し、さらに必要であれば脚力の向上や年齢・体重・体調・季節・心理等の変化等に合わせて適時これらのチューニングを繰り返す。【０００７】
【考案の効果】
本考案の特徴は着脱可能かつ改造余力の大きな免震（免振）中敷きを靴類に入れることで、運動不足や生活習慣のなかで歪みやすい骨格や骨盤を歩行することで揺さぶり、これにより足元から全身の間接配列（アライメント）を補佐し、その持続を可能にすることにある。またこの技術は安全かつ無害で苦痛がなく、高齢者の健康維持増進や障害者の歩行運動機能の向上にも貢献しうるものであり、以下のような多くのトラブルに関して改善効果が見られる。本考案の有利性は以下の通りである。
▲１▼我が国の履物文化等の特異性に着目した技術であるため我が国における外反母趾・腰痛等の予防と歩行および姿勢の改善効果が顕著である。特に外反母趾については骨盤の歪みを補正することで拇指球や小指球に掛かる偏った足圧を軽減でき、この部分の痛みを軽減し外反母趾等の進行を防ぐことが可能である。また、「コンニャク足」と呼ばれるファッションを優先したために起こる著しい脚力低下や、歩行を忌避する世代、歩行をストレスと受容する世代の増加による慢性的な脚力の低下の予防と改善に効果がある。
▲２▼中敷きの厚さが１０ｍｍ〜２５ｍｍあるため、脚長差の補正では単に中敷きの踵部分をカットするだけで済み、姿勢改善や歩行機能の向上およびＯ脚やＸ脚の改善が容易かつ安価で各関節に掛かる負担や衝撃が軽減できる。
▲３▼免震中敷きにより歩行時の脳のストレスを軽減し、歩行による健康の維持増進効果を高め生活習慣病の予防と改善が可能である。
▲４▼足の裏のマッサージ効果による冷え性・足の「むくみ」や「しびれ」等の改善および足にできる魚の目やタコの改善に効果がある。
▲５▼リウマチや股関節・膝関節等の変形部位への衝撃の緩和等、特定の関節への負担を免震（免振）機能により分散することが可能である。
▲６▼看護師・電気ガス水道等のメーター検針員・宅配便運転手等の労働環境から生じる足腰膝痛等のトラブルの改善に効果がある。
▲７▼心理的原因による歩行特性の変化の改善が可能。
▲８▼歯の噛み合わせの改善や音楽関係者の音域声量の拡大および息継ぎの改善。
▲９▼スポーツ競技者のフォームの補正や腰痛・膝痛等の改善。
▲１０▼成長期の子供・児童・生徒の姿勢改善および「ひきこもり」や不登校の改善。
▲１１▼医者に掛かることの時間的経済的負担の軽減、入院に伴う脚力の低下、院内感染や輸血に伴う様々な感染症の回避、医療過誤や医療上のモラルによって生じる様々なリスクの回避、手術の後遺症や術後のリハビリにおける苦痛と費用の軽減。
▲１２▼歩行改善効果が靴医学会で否定された高価なドイツ式整形外科靴や足底挿板（足底板）に代わる、我が国國有の免震（免振）中敷きの普及により無用の保健請求を減らし、行政が負担してきた整形外科靴に関する医療費支出を大幅に削減できる
▲１３▼本考案は義足や歩行を補助する装具を使用している場合に生じる歩行時における重心の不均衡を免震中敷きとスタビライザーにより安価に迅速に改善しうる。
▲１４▼１０分ほどで中敷きの加工が済み、靴類と中敷きはその場でユーザーが履いて帰ることができる。
【０００８】
【図面の簡単な説明】
【図１】ドイツ式および欧米系「三つのアーチ理論」の模式図この場合イ〜ウのアーチは中心に向かってアーチ型に配列される
【図２】免震（免振）構造及び免震（免振）機能の概念図
【図３】地震に強い高層ビルの制震（制振）構造の模式図  人体の骨格構造もこの模式図も柔構造の制震（制振）構造という共通点がある
【図４】中足骨部分が窪んだ欧米系の中敷きでは前アーチ（イ〜ウ）が落ち込み逆アーチとなり五つの関節が放射状に配列され外反母趾や内反小指になりやすくなる
【図５】日本型４点支持理論の模式図と免震中敷きの断面図  エの中足骨パッドはドイツ式足底挿板の中足骨パッドに比べ２０ｍｍ〜３０ｍｍ前方に固定しソフトな素材を用いる
【図６】従来の中敷きにおける踵骨固定パッドの使用方法
【図７】日本型４点支持理論における踵骨固定パッドの使用方法と三つのパーツの配置の概念図
【図８】免震中敷きを格納しうる靴類の断面図
【図９】流動性のある液体を封入したバランサーもしくはスタビライザーの概念図
【符号の説明】
【００１０】アは踵骨最下点である
【００１１】イは拇指球（第一指中足骨前方関節）の最下点である
【００１２】ウは小指球（第五指中足骨前方関節）の最下点である
【００１３】エは日本型４点支持理論における中足骨パッドである
【００１４】オは従来のＵ字型踵骨固定パッドの固定方法である
【００１５】カは踵骨の前方への滑りを防止し足底部の血流を改善する流線型の踵骨固定パッドである
【００１６】キは日本型四点支持理論におけるＵ字型踵骨固定パッドの固定方法である
【手続補正２】
【補正対象書類名】実用新案登録請求の範囲
【補正対象項目名】全文
【補正方法】変更
【補正の内容】
【実用新案登録請求の範囲】
【請求項１】
関節もしくは骨格のアライメントによる歩行改善や心理的影響による骨盤等の歪みの補正など多様な歩行改善効果を実現し、これらの効果を持続させるために建築における免震（免振）搆造を応用した靴類の中敷きの考案および人体もしくは脳に生来的に備わっている制震（制振）機能を足元から補助する靴類の中敷きの考案
【請求項２】
立位時もしくは歩行時・運動時における関節アライメントを免震（免振）構造を有する靴類の中敷きによって補助しその効果を持続させると共に、人体や脳に生来的に備わっている制震（制振）機能を補佐し身体のバランスを保ちやすくするために、流動性を有する液体等を封入した変形可能な容器を身体の部位に固定する。これにより、その液体等の流動による慣性やバフンスを取るための「おもり」としての役割を利用することで人体の重心の不均衡をより容易かつ迅速に囘復することができるバランサーもしくはスタビライザーの考案
【請求項３】
靴類装用時の爪先方向への足の滑りを止め、着地時の踵骨の安定性を高め、免震（免振）機能を有する中敷き自体から発生する無用の横揺れを吸収するためのＵの字形腫骨固定パッドの考案
【請求項４】
足圧による汚れや足指等の摩擦の痕跡が残りやすい素材を免震（免振）機能を有する中敷きの表面に貼ることで、歩行等の連続運動時における骨格や足指等の動きを把握しやすくし、この痕跡を手掛かりに関節アライメント等の補正が可能となるタンニンなめしによる食肉用の豚の皮革を用いた靴類の中敷きの考案
【手続補正書】
【提出日】平成15年11月15日(2003.11.15)
【手続補正１】
【補正対象書類名】実用新案登録請求の範囲
【補正対象項目名】全文
【補正方法】変更
【補正の内容】
【実用新案登録請求の範囲】
【請求項１】
厚さ５ｍｍから２５ｍｍの範囲を有し、硬度４５から５５の弾力性を有する高密度独立発泡樹脂を素材として用いた靴類の中敷きを靴類に装用して歩行することにより、関節もしくは骨格のアライメントを可能にする靴中敷きの形状および構造、さらにこの中敷きを靴類に装用した場合の歩行改善効果や心理的影響による姿勢変化の改善や日常生活の中で必然的に生じる骨格骨盤関節の歪みを補正し、歩行することでこれらの効果を持続させ得る建築における免震（免振）構造を応用した靴類の中敷き
【請求項２】
人体もしくは脳に生来的に備わっている制振機能を、免震機能を有する靴類の中敷きにより足元から補助することで立位時や歩行時における脳の緊張やストレスを軽減する靴類の中敷き
【請求項３】
人体や脳に生来的に備わっている立位時もしくは歩行時・運動時における身体のバランスを保つ機能を補助し、免震（免振）構造を有する靴類の中敷きと組み合わせることによって、より身体のバランスを保持しやすくし、脳の緊張やストレスを軽減するために流動性を有する液体等を封入した変形可能かつ着脱可能なバランサーもしくはスタビライザー
【請求項４】
靴類装用時の爪先方向への足の滑りを止め、着地時の踵骨の安定性を高めると共に踵骨の前傾を防止する機能を有し、同時に免震（免振）機能を有する中敷き自体から発生する有害な揺れを吸収するためのＵの字形踵骨固定パッドの
【請求項５】
歩行中の足圧による中敷き表面の凹凸や表面の汚れおよび足指等の摩擦の痕跡が残りやすく、これを免震（免振）機能を有する中敷きの表面に貼ることで、歩行等の連続運動時における骨格や足指等の動きを把握しやすくし、これらの痕跡を手掛かりに関節アライメント等の補正をしやすくするための植物性タンニンなめしによる食肉用豚革バックスキンを用いた靴類の中敷き
【手続補正２】
【補正対象書類名】明細書
【補正対象項目名】全文
【補正方法】変更
【補正の内容】
【考案の詳細な説明】
【考案の詳細な説明】
【０００１】
【技術分野】本考案は、「靴のフィット性を改善する方法」（特許公開平５−１８４４０９）とか、「靴が足に合う、合わない」「歩きやすい、歩きにくい」「足が痛い、痛くない」といった問題や、これらのトラブルを改善すべく考案された「足の裏の形状をそのまま複製して造られた各種中敷き類」等の先行技術と単純に同一視すべき考案ではない。
本考案では、人体は２０６個の骨格の積み木であり、歩行とは足がこれらの骨格や骨盤を支えつつ脳が全身のバランスを取りながら移動するダイナミックな連続運動であり、靴はその足元を安定させる土台として機能していると捉えている。
本考案はこの靴という土台の上に建築における免震（免振）機能の役割を果たす中敷きを設置することで、足元から全身の関節配列（アライメント）を補佐し、人体の重心の不均衡を緩和し、さらに歩行等における脳の緊張やストレスを緩和させ、骨盤を中心とするバランスの取れた骨格や筋肉を形成しやすくする靴類の中敷きの技術である。
また人体や脳に生来的に備わっていて、身体における重心の不均衡を常に補正しようとする制震（制振）機能を補うために免震（免振）機能を有する中敷きと、上肢等に固定した流動性があるバランサーもしくはスタビライザーを組み合わせることでより歩行改善効果を高めたり歩行運動効果の効率を高め、生活習慣の中で生じる骨格の歪みや心理的な影響による骨盤等の歪み等を改善しやすくする技術である。【０００２】
【背景技術】我が国におけるこれまでの歩行改善技術は欧米系の歩行理論である「三つのアーチ理論」（図１）に基づいたものであって、この理論は世界的に広く流布しているが必ずしも我が国の実情に即した理論ではなかった。
たとえば欧米人と日本人では依然として身長体形及び骨格・筋力に明確な違いがある。
また固い乾燥した地面や石畳の上を木靴や固い革底の靴で歩いてきた欧米人の数千年に及ぶ履物の歴史に比べ我が国の履物の歴史は短く、わが国の生活様式は草が生えた湿った柔らかい地面の上を素足や草履等で歩いたり、畳の上の生活が長かったという特徴がある。たとえば我が国においては「靴を日常的に常時装用する生活文化」が完全定着して未だ４０年ほどでしかない。
我が国の５０代半ば以上の世代では、高校卒業時までは通学時には下駄を履き、学校の上履きはゴム草履、運動の時間は裸足というのがほとんどであった。
また欧米では起床と同時に靴を履き就寝まで靴を装用し続けるという履物文化を有しているのに比べ、我が国では起床後素足やスリッパで家の中を歩き回ってから靴を履くという履物文化を維持している。
そのうえ我が国では、依然として履物を脱いで家に上がるという履物文化を有しており、特に我が国の主婦は家の中では素足やスリッパで生活し外出時にのみ履物を装用するという、いわばべた足歩行と履物歩行を日常的に何度も往復するという特異な履物文化を有していて、一部には正座習慣も根強く残っている。
従って我が国ではまだ、靴という外来の履物に完全に骨格が適応しきっていない可能性が強いのである。
そのうえ主婦や若い女性は買い物や散歩または「お出かけ」のつど、ミュールサンダルやスニーカー・ハイヒール等の履物としての構造が大きく異なり、歩行特性や姿勢を著しく変化させるような構造を有する履物を日常的に履き替えているのが実情である。
さらに我が国では慢性的な運動不足に加え、交通機関がくまなく発達し、ほとんどの道路は固く舗装され、住宅の中の畳の面積が減少する一方で各所にエレベーターやエスカレータが設置され、ビルや住宅の中ではきわめて固い段差のない床面積が増加している。
つまりバリアフリー社会の進展そのものが現代人の脚力不足を助長している側面があり、古い欧米系の歩行理論ではもはや対応しきれない現実に直面している。
また高齢社会の進展に伴い骨粗しょう症や転倒による骨折およびリウマチ等の歩行困難者の増加や、ファッションのみを重視し外見を優先する若者の増大による「コンニャク足」（著しく脚力が低下したため幼児のように足首から先が柔らかくなってしまった足）や外反母趾等の増加、および成長期にある幼児・学童・学生等の著しい脚力の低下も憂慮され、短時間であっても直立していられない「ジベタリアン」と呼ばれる特異な世代も出現している。
一方、欧米系の歩行理論である「三つのアーチ理論」は、歩くことが当たり前の時代に生まれた古い技術であり、我が国ではいま歩くことすら忌避され、交通手段の発展により歩行機会そのものが失われつつある時代を迎えていて、「三つのアーチ理論」が我が国の実情にそぐわない過去の理論や古い技術となっている。
また欧米系の歩行理論である「三つのアーチ理論」は、起床時に履いた靴は就寝まで履き続けるという欧米の履物文化を前提にしており、我が国の主婦のように家の中ではべた足（スリッパ）生活を送り、しかも外出のつどサンダルやスニーカーまたはパンプスというように構造が著しく異なる複数の履物の間を日常的に往復するという特異な履物文化を全く想定していないのである。
つまり欧米系の「三つのアーチ理論」は、我が国の靴装用に関する歴史の浅さや生活習慣による履物文化のちがい及び骨格体形筋力等の差異すらまったく考慮していない理論といわざるを得ないのである。
また「三つのアーチ理論」にもとづく欧米系の靴や中敷きや足底板（足底挿板）の中には、単に足当たりをソフトにすために数ミリ厚のウレタン等が表面にのみ貼り付けられているものもあるが、その基底部の構造材自体はきわめて硬く、足首から先に骨格と筋肉と靱帯による強靱な三脚を強制的に構築することで歩行機能を改善するものであり、（この理論自体は欧米人に適合しているとしても）実際に日本人が装用すると図４のように靴の中で爪先の骨格が逆アーチとなり足の裏に魚の目やタコができやすくなり、中敷きが薄くて固いために衝撃吸収性が劣り膝や股関節に着地の衝撃が伝わるという欠点があった。
実は我が国で広く普及しているドイツ靴（ドイツ式整形外科靴）やドイツ式足底挿板は、第二次世界大戦により国土の大半が瓦礫の山と化し、足を負傷した国民が多かったというドイツの国情から生まれた靴であり、トレッキングシューズに近い強固な造りを特徴としている。
またこのドイツ靴の中に入れられている中敷きは完全に規格化・マニュアル化されていて、歩行のトラブル別にあらかじめ量産された既成の中敷きがストックされており、販売者は購入者の足のトラブルとフットプリント（足の裏にインク等を付着させ、静止状態の足形を平らな紙の上に写し取る手法）をもとにマニュアル通りの判定を行い、あらかじめストックされた既成の中敷きの中から該当する番号のついた中敷きを選び出して購入者に提供しているにすぎないのである。
しかしこの手法では静止状態の足の骨格と、歩行という連続運動における足の骨格の動きは同一であるという重大な誤謬が前提になっているのであり、特に全身の骨格や関節のアライメントを補助したりこれを持続させるには不充分な技術だったのである。
なお、先行技術として靴底そのものに免震素材を用いるという商品も存在するが、免震素材は靴底としては柔らかすぎて靴底がすり減りやすく、その結果むしろ滑り易くなったり転倒したり骨盤等を歪めるおそれがあり、靴底に免震素材を用いることで生じる歩行改善効果もつまびらかにされていない。
また平成１４年９月２７日開催の第１６回日本靴医学会学術集会（仙台市）における論文（論文名「ドイツ式整形靴・足底挿板が外反母趾角開帳度に及ぼす効果」永生病院整形外科  赤来家康・今井安秀  ドイツ靴メーカー「フスウントシューインスティチュート」遠藤  拓・ルッツベーレ・オリバーシュピッツによる日独合同研究）においてドイツ式整形外科靴および足底挿板は欧米人には適合しても日本人には適合しない旨明確に否定された。
これは欧米との履物の歴史や文化の差異に加え、「三つのアーチ理論」の基点となる三つの骨格ポイントを特定する手法が主に「フットプリント」等に代表される静的状態の足形そのものを判定の根拠にしていたために生じた当然の帰結と思われる。
このためこれらの欠点を改善し、我が国の履物の歴史や履物文化に適応し、かつ歩行運動効果や歩行改善効果を高めるような独自性・新規性を有する中敷きの考案が待たれていたのである。【０００３】
【考案が解決しようとする課題】
人体の骨盤は柔らかなソファーに座ったり、膝組み・横座り・あぐら座り・慢性的な運動不足等の日常的な行為で歪みやすいことは一般的に良く知られている。
ところが医師は、日常生活の中で歪みやすいという骨盤の特徴を忘れ、高血圧症や肥満・糖尿病等の生活習慣病の患者に対し必ずウォーキングを奨める。
しかし骨盤を正しく支える機能が備わっていない靴を履いて歩くと骨盤は日常生活の中で生じたゆがみのままの状態で歩行することになり、その結果人体の骨格は足元から頭部にかけて３次元のＳ字型に蛇行し、歩行姿勢は前後左右に歪み重い頭蓋骨はバランスを取ろうとして傾くため頸部が凝ったり歯のかみ合わせまで変えてしまう。
また不安定な姿勢で歩くことで、歩行者は意識していなくても脳は常に全身のバランスを取ろうとして無意識に緊張し、それがストレスになりかねないのである。
つまり現代人にとって、歩くこと自体がストレスになっているのであり、このストレスのために歩いたあと疲労感が残り、甘い飲み物やビールが飲みたくなったり、単にお腹がすいて間食してしまうのである。
ちなみにスポーツ医学の分野では、ウォーキング（及び運動）は、バランスがとれた骨格で行わなければ集中力が低下し、バランスのとれた筋肉も付きにくく、骨密度を高めることも難しいといわれている。
また従来のスニーカーや一部のウォーキングシューズに採用されている様々なショックアブソーバー構造やサスペンション構造は、詰まるところ単なる衝撃吸収や靴底の弾力性の向上か、欧米系の歩行理論にもとづく足首から下の「三つのアーチ」の補正にとどまっており、骨盤や骨格の動揺を抑制するためのものであり、その目的も骨盤や骨格を関節アライメントにより補正するものではなかったのである。
たしかにドイツ系の靴と中敷きには足首から下に骨格と靱帯および筋肉が複合的に形成した「三つのアーチ」の構築を目的としたものが多いが、欧米人と日本人の骨格の差異および履物の歴史や履物文化の違いがまったく考慮されておらず、その効能は前記・日本靴医学界において否定された経緯もある。
またドイツ系の中敷きの素材自体もコルク等のチップを樹脂類で成形した固い素材であるため衝撃吸収性が劣るばかりか、地面の凹凸や靴底がすり減った場合に生じる足元のひずみがそのまま膝や股関節を通じて骨盤にも伝わるといった欠点もあった。
もしこうした固い中敷きで骨盤の歪みを完全に補正しようとすれば、常に中敷を削るとか靴底のすり減りを補正する等の微細な調整が必要となり、費用や時間も掛かってしまい現実的には個々のトラブルに完全に対応できる理論や技術ではないといわざるを得ない。
ましてやドイツ系・欧米系の靴と中敷きには、免震（免振）機能は備わっておらず、人体に生来的に備わっている制震（制振）機能を補助する機能もないばかりか、人間は心理的な影響でも歩行姿勢が急変するという事態にはまったく対応できず、そうした事態すら想定していなかったのである。
これに比べ本考案は免震（免振）機能を有する中敷きを靴の中に装着することで、人体の重心の不均衡をより容易かつ迅速に回復することが可能となるばかりか、免震中敷きにより人体に生来的に備わっている制震（制振）機能を足元から補助することで骨格アライメントを生じさせやすくし、生活習慣の中で歪みやすい骨盤や骨格のバランスを回復させることが可能となるのである。
またこれによりバランスの取れた足腰の筋肉を形成させるとともに、骨盤や股関節を歩くことで適度に動揺させ、これにより常に正しい位置に揺り戻し、これにより上半身の骨格のゆがみも補正しようとするものである。
そして、こうした一連の現象が足元から全身の骨格に関節配列（アライメント）として伝わり、歩行というダイナミックな連続した運動を通じて歩行本来の機能の回復や健康の増進を実現させるのである。
また加齢や体重の増減および心理的な影響による歩行姿勢の変化や靴底の摩耗が生じた場合でも、上半身の骨格の歪みや揺れを免震（免振）構造により吸収し、人体に備わっている制震（制振）機能を補佐する中敷きの作用により、足元から骨盤を支えそのバランスを保つことで歩行姿勢を補正し、転倒や腰痛等も未然に防ぐことが可能となる。
さらにリウマチ等の障害により足指の関節が変形している人の靴を造る場合、従来は足の形をした靴を特注品として加工していたが高価であり、製作に１ヶ月以上は掛かるのが実情であった。
本考案は、中敷きに厚さ１０ｍｍ〜２５ｍｍもあるソフトな免震素材を用いるため、この厚さの中敷きを収納しうる靴類にはそれだけの改造可能空間があらかじめ備っていることになる。
このためこの中敷きを足指の関節の変形に合わせて部分的に５ｍｍ〜２０ｍｍ削ることで、靴そのものを特注しなくても変形した関節を容易に収納することができるのである。
また現代人は手ぶらで歩行することがほとんどなく、手提げ鞄や肩掛け鞄・リュック等何らかの骨格に影響を与える一種のおもりを携行するのが常である。
こうした状況に加え、人は心理的な要因でも歩行姿勢が急変したり骨盤等が大きく歪むことが起こりうる。
さらに人間は加齢や体重の変化・妊娠等で骨盤や骨格のバランスが変化するが、それ以外にもたとえば嬉しいことがあればウキウキと歩き、不安や心配事があればうなだれて歩くのであり、その結果骨盤や骨格は微妙に変化し、それに伴って筋肉が伸縮し腰痛や肩こりが起こるのである。また人体の筋肉は脳からの微弱な電流によって伸縮するため、ストレスにより左右の足の長さも変化し、骨盤や骨格が歪む可能性もある。
もともと筋肉は脳からの微弱な電流によってコントロールされているのであり、骨格が筋肉と靱帯によって支えられていることを考慮すれば脳のストレスが筋肉を萎縮させ骨格を変動させることは、むしろ当然の現象と言うべきである。
従って常時骨盤や骨格のバランスを補正し、歩くことで骨盤のバランスを回復しつつ人間の心的影響による歩行特性の変化にも対応可能な靴類の中敷きの開発が真に必要なのである。
なお、現代では医者に掛かることが時間的負担となるばかりか、治療費の自己負担率の増加や入院に伴う脚力の低下、あるいは入院中の院内感染や輸血に伴う様々な感染、医師の技量やモラルの低下、様々な医療過誤、手術の後遺症、術後のリハビリにおける時間と費用の負担およびリハビリに伴う苦痛、その間の家族のさまざまな経済的負担の増加等、入院や手術には実に多くのリスクや負担が伴っているのが実情である。
こうした状況にあって本考案は、多くの国民が直面している足腰のトラブルの軽減や、歩行による健康増進効果はもちろんのこと、正しいウォーキングによる生活習慣病の予防、およびその結果生じる各種健康保険支出の削減や家計における医療費負担の軽減、さらには我が国における歩行可能年齢を引き上げることに伴う介護費用の低減や、高齢者の外出機会の創出に伴う様々な消費の拡大など、本考案はきわめて広範囲な公益性及び経済的波及効果の大きい「総合的な足元からの健康づくり」に関する新規性のある技術の考案なのである。
【０００４】
【課題を解決するための手段】
人体は、地震に強い高層ビルと類似した柔構造を有している。否、地震に強い高層ビルの柔構造こそ人体の骨格の強靱さと「しなやかさ」をモデルに開発されたものといっても過言ではない。
周知のように強い地震に耐えうる高層建築物の基礎と土台の間には強靱なスプリングや厚い防震ゴム等が挟み込まれており、このスプリングや厚い防震ゴムが地震のエネルギーを吸収し同時にビルのバランスを保ち倒壊や損壊を防いでいる。
これが建築における免震（免振）構造であり、図２の棒を支える手がこれにあたる。
また図３は柔構造を有する高層ビルの内部にあって、地震の揺れのエネルギーを吸収し揺れを抑えるものとして用いられる免震（制震）構造の模式図である。
人体の場合、２足歩行や静止直立をしていても骨盤を中心とする骨格とそれらを支える各種筋肉および靱帯は、脳の指令によって一体となってバランスを取り横揺れや縦揺れ等を吸収することで制震（制振）機能を果たしている。
ところがこれまで２足歩行を行う人間の骨格は図３のような免震構造を有しているのに、その足元には本格的な免震（免振）構造が欠如していたのであり、ショックアブソバー機能や名目的なサスペンション機能をうたった靴や中敷きが市販されていても、人体が生来的に保有する制震（制振）機能を補助したり補完する目的で考案された免震（免振）中敷きは考案されていなかったのである。
たとえばドイツ中敷や足底挿板の目的は骨格を固定するものであり、サスペンションやショックアブソーバー機能を有するスニーカー等の目的もあくまでも骨格や身体の動揺を抑制する目的で開発されている。
しかしむしろ人体にこそ足元から全身の骨格を支える免震（免振）機能を有する靴中敷きが必要なのであり、「三つのアーチ理論」もそれを土台から支える免震（免振）構造があってこそ充分機能を発揮でき、免震（免振）構造と「三つのアーチ理論」が一体化したとき始めて骨盤を中心とする骨格とそれらを支える各種筋肉および靱帯が結合して、よりダイナミックな制震（制振）機能が発揮され、脳による身体のバランスコントロールが容易になるのである。つまり人体は歩行等の運動により適度に動揺させたり揺さぶることで骨格や骨盤等の歪みを補正する関節アライメントが発生するのであり、このときはじめて脳はバランスを保つための緊張やストレスが軽減されたと感じるのである。
ところが従来からある「三つのアーチ理論」は、土台となる靴中敷きに固いコルク混入成形素材やせいぜい厚さ３ｍｍ〜５ｍｍ程度の衝撃吸収素材を使用している。
こうした固い素材や薄い中敷きでは、足元から全身の関節配列（アライメント）を補正することが不十分であるばかりか、歩行中に遭遇する地面の凹凸や靴底の摩耗、さらには手や肩に下げた荷物の影響による骨格の歪みさえも直接骨盤に伝えるという欠点を有していたのである。
これに比べ本考案は、あえて中敷きに厚さ１０ｍｍ〜２５ｍｍもあるソフトな免震（免振）素材を用いることで、従来の靴や中敷きでは実現不可能であったより高度な免震（免振）機能を付与することができる。
またこうすることで足の裏にかかる重心の一局集中を分散し、足の裏にできる魚の目やタコを防ぎ、歩行中の脳のストレスを減らすと共に、加齢や体重の変化もしくは心理的な影響による歩行姿勢の変化が生じた場合でも、歩行中の骨格特に骨盤を足元から支えつつ全身の骨格の動的アライメントの補正や全身の骨格のバランス補正を行う。
また免震（免振）機能を有する中敷きは素材自体のスプリング効果により足を前に押し出すため、容易に足が前に踏み出しやすくなり、歩行可能距離が向上し脚力の向上をもたらす。
なお、免震（免振）機能を有する中敷きを格納する靴類にはあえて変形しやすい皮革等の素材を用い、２〜３週間の足慣らしにより靴等が変形し、あたかも特注品であるかのように足に馴染んで来るような素材や製法を選択する。
【０００５】
【考案を実施するための最良の形態】（イ）我が国では日常的に靴を履く習慣はまだ４０年ほどしかなく、さらに日常的に家の中では「べた足」であり外出するときだけ靴を履くというと欧米の歩行理論を想定していない履物文化を有しており、人々の足が靴という「入れ物」にまだ完全に適応していない可能性が濃厚である。
従って欧米で考案された「三つのアーチ理論」をそのまま我が国に適応することは無理があるばかりか、足や腰のトラブルを増加させてしまうおそれすらある。
また「三つのアーチ理論」に基づいて製作されたドイツ式中敷きは、どれもが画一的であって、その目的は靴の中に強制的に「三つのアーチ」を構築することで一時的な「歩きやすさ」をもたらす程度の機能しかないと断言せざるをえない。
なぜなら「三つのアーチ理論」に基づいて製造された靴の中底や中敷きは、すべてつま先の中足骨部分が「すり鉢状」に窪んでおり、この窪みに母指球（第１指中足骨前方の関節部）と小指球（第５指中足骨前方の関節）を結ぶ前アーチが落ち込み、我が国のようにべた足で家の中を歩き回ってから靴に足を入れると爪先が「逆アーチ」となってしまい、この時点ですでに「三つのアーチ理論」が崩壊してしまうからである。（図４参照）
実はこの現象こそが我が国における様々な足や腰のトラブルを助長しているのであり、この「逆アーチ」部分に魚の目やタコが発生する事例が多発している。
そこで本考案では我が国の実情を踏まえ、免震（免振）機能を有する靴中敷きの中足骨部分に一種の枕をはさみ込み、ここを常時持ち上げることで「三つのアーチ」を形成させ、この「三つのアーチ理論」が本来求めていた骨格形態を復元することで、足首からつま先までの範囲に柔軟性のある「三つのアーチ」を構築し、これにより安定した歩行を実現するのである。
なお本考案では便宜上これを以後「日本型４点支持アーチ理論」と定義する。
欧米系「三つのアーチ理論」（図１）と、本考案である「日本型４点支持アーチ理論」（図５）を対比されたい。
欧米系「三つのアーチ理論」（図１）における三つの基点は、（Ａ）踵骨の最下点（図１ア），（Ｂ）足の親指（第１指）の付け根（けい骨側中足骨最下点：図１イ），（Ｃ）足の小指（第５指）の付け根（ひ骨側中足骨最下点図１ウ）である。この場合図１イと図１ウを結ぶ関節がアーチの中心に向かって配列していることに注目されたい。
これに対し「日本型４点支持アーチ理論」（図５）では、エの枕（中足骨パッドもしくはペロッティ）が追加された形となる。
なお図５におけるエの中心ないし基点を特定するための計測法は以下のとおりである。
まず免震構造（機能）を有する中敷の上面に裸足もしくは靴下を着用した足またはテーピング等で足形を補正した足を直接載せ、（１）踵骨の最下点（図５ア）  （２）足の親指（第１指）の付け根（けい骨側中足骨最下点  図５イ）  （３）足の小指（第５指）の付け根（ひ骨側中足骨最下点図５ウ）を指で触れて探し出すか、または目で確認するか、もしくは３Ｄスキャナー足型計測器により特定し、免震中敷き側面等に目印を付ける。
次に図５イと図５ウを直線で結び、その中間点と図５アを結ぶ直線上２０ｍｍないし３０ｍｍの範囲に中足骨アーチ（５図イ〜ウ）を支える枕（中足骨パッドもしくはペロッティ）の頂点もしくは中心を固定する。
このパッドの形状はおおむね水滴形とするが、歩行特性に合わせてその形状・面積・位置・厚さ・固さ等を個別に調整する。
さらに図５アがすべての原点となるため、踵骨が前後左右に動かないようにするために固定し滑り止めをする必要があるが、従来の技術では踵骨の固定方法としてＵ字型のパッドを踵の後方より爪先に向かって固定してきた（図６オの状態）が、本考案では免震中敷きと同様の素材を用いて図７キのように爪先側から踵に向かって逆向きに接着剤等で固定する。
こうすることで踵骨は靴の中で前後左右に滑らなくなり、踵から着地した場合の安定性を向上することが可能となる。
またこの踵骨固定方法は、正座習慣や脚力低下等により踵骨および距骨が動きやすい場合や、ハイヒールのように靴の中で足が前方に滑りやすい場合に特に有効であり、いわゆる偏平足となった足の骨格や踵骨を足の裏側から押し上げることで「三つのアーチ」を復活させることが可能となる。
またさらに踵骨を固定する必要がある場合は、内くるぶしの真下に同様の素材で成形された長さ５０ミリから６０ミリ、幅１５ミリから２０ミリ、厚さ１０ミリから２０ミリの流線型のパッド（図７カ）を追加し固定する。これにより踵骨を固定でき、さらに足底動脈を適度にマッサージすることで足の冷えやむくみ、しびれ等の改善も可能となる。
ちなみにこれらのパーツの素材および中敷き本体の素材は高密度独立発泡樹脂および多孔質シリコンもしくはゴム等の弾力性に優れた素材を使用し、特に免震（免振）機能を持つ中敷きはその中敷きを装用する人の年齢・体重・骨格・脚力・歩行特性・靴の用途に合わせて選べるよう各種の特性を有する高密度発泡樹脂および多孔質シリコン等や、精密機械の各種防震ゴム素材等適時選択したり、これらを組み合わせることができるようにする必要がある。
（ロ）従来の中敷きに使用されてきた中敷きの表面に貼る敷皮は皮革もしくは合成皮革ないし各種繊維布等であり、これらは意図的に靴に足が滑り込みやすく、しかも汚れにくく汚れが目立ちにくい素材や色彩が用いられてきた。
このため従来の敷皮では敷皮に付着した汚れや摩擦痕から靴装用歩行における連続した骨格の動きや足指の動きおよび加重バランスを読みとることが困難であった。
たとえばこの課題に取り組む先行技術として、歩行時における足圧（足の裏にかかる体重と靴底からの衝撃を総合した圧力）を測定すべく圧力センサーをコース上に敷き靴を脱いでその上を歩かせたり、薄いシート状の圧力センサーを履物の中に入れ平面的なコースを歩かせることで足圧をデジタル測定する技術が存在する。
しかし、屋外の歩道等は決して平面ではないし、現代人はほとんど手ぶらで歩くことがなく常になんらかの手荷物を携行しながら歩行しており、季節や天気・気温・湿度・体調・靴類のかかとの高さ・ファッション・気分等で歩行特性は変化し、骨盤もその影響を受けざるをえないのであり、圧力センサーを用いて計測した室内データは実際の歩行特性とは無縁のデータでしかなく、このデータに基づいて靴中敷きを調整加工してもほとんど意味がないのである。
これに比べ本考案では、歩行もしくは運動等におけるダイナミックな連続運動の記録を採取するために、あえて汚れやすく足圧が残りやすい素材特に植物性タンニンなめしによる食肉豚の皮革を免震構造を有する靴中敷の表面に貼っている。
これにより、より鮮明な足圧の汚れや摩擦痕が得られ、これを解読することで日常的かつ連続的な歩行特性や運動時の重心等が把握しやすくなるのである。
その際、豚革は豚革の裏面が足の裏に接触するようにバックスキンとして接着しておくと、歩行時に足圧が掛かった部分は起毛が潰れたり摩耗して光沢が生じ、汗や皮脂の痕跡が残りやすくなり、歩行やスポーツにおける連続運動の生きた記録が正確に採取できるようになる。
またこの素材を用いた場合、免震素材は圧力を受けた部分のみが瞬間的に窪むという特徴と結合して、歩行のエネルギーを無駄なく地面に伝えることができ、歩行による疲労を少なくする効果も得られる。
さらに豚革のバックスキンは起毛状態にあるため足の裏の汗等を良く吸収し、さらに靴を脱いだあとは起毛面が大気に触れることで乾燥が促進されるメリットもある。
また豚革のなめしに用いるタンニンやカテキンは靴の中の雑菌の繁殖を抑えてくれると同時に、免震（免振）構造を有する靴中敷きと一体となって足の裏をマッサージするため血行が良くなる。
「足は第二の心臓」といわれるが、本考案は一歩足を踏み出すたびに足の裏をソフトにマッサージすることで血行を改善し、新陳代謝を活発にするという機能も有しているのである。
（ハ）次に本考案の実施にあたって、免震（免振）機能を有する靴類の中敷きを用いて歩行する人体の歩行特性や足腰のトラブルに合わせて、必要に応じてこの中敷きを適時補正する方法を説明する。
なぜなら人体は、加齢や体重の変化・心理的影響もしくは季節の変化・健康状態・妊娠等で骨盤や骨格のバランスが変化し姿勢も変化すると同時に、靴の変形や靴底の摩耗およびパッド等の弾性低下が不可避的に発生するからである。
しかし、免震（免振）機能を有する靴類の中敷きには、歩行しながら全身の骨格の動的アライメントを補正するという機能があるため骨格の微小な変化や靴底の軽度の摩耗および中敷き素材のヘタリ（弾性低下）に関しては、中敷き自体のチューニングがほとんど必要ない。
むしろチューニングが必要なのは、芝生の上を素足で歩くような柔らかさを特徴とする免震（免振）機能を有する靴類の中敷きを用いて歩行することで、全身の筋肉をほぐし骨格や骨盤の歪みを足元から補正したとき、「日本型４点支持アーチ理論」（図５）における基点ア・イ・ウ・エのいずれかが、歩行改善効果により数ミリ移動したり、この基点に掛かる足圧が大きく変化したときである。
たとえば全身の骨格の動的アライメントを補正するという免震（免振）機能を有する靴類の中敷きを用いて日常的に歩行した場合、人体は全身の筋肉を動員してダイナミックに歩行するようになるため、体重が急激に減少したり脚力の強化に伴う歩行姿勢や歩行速度の急激な変化が起こりうる。
このような場合は足の骨格・靱帯・筋肉の特性や歩行改善効果を把握したうえで、植物性タンニンなめしによる食肉豚の皮革に残された足圧や摩擦痕等を確認しつつ各々のパッドの位置を前後左右に微移動したりパッドの硬さ、高さおよびその形状・面積を適切に調整する必要がある。
また本考案では、厚さ１０ｍｍ〜２５ｍｍもあるソフトな免震（免振）素材を用いるため、これを収納しうる靴類にはおのずと改造可能な領域が多く存在することになる。
たとえばリウマチ等による足指の変形が見られる場合でも、この中敷きを様々な方向からグラインダー等で切削することで突出した関節や爪等が靴の甲革に触れないように短時間で改造でき、さらに歩行時における苦痛も軽減されると共に加工コストの削減や靴や中敷きの即納も可能となるのである。
図８は免震（免振）機能を有する中敷きを格納する靴の甲革および靴底の断面図であり、改造空間は図８クを上下からを削ることで容易に拡張することができる。またこの図８のように１０ｍｍ〜２５ｍｍもある分厚い免震（免振）中敷きを靴底に埋め込んでおけば靴自体は厚底靴にならず、つま先で地面等を蹴りやすくもなる。
つまり本考案には、だれが履くかわからない既成靴を多様な歩行特性に合わせてフイッティングしようとする際に問題となる改造可能な空間をあらかじめ確保しておくという機能が附随しているのであり、改造余力の大きな免震中敷を既成靴のなかに標準装備しておくことで特注靴を製造する頻度が低下し、改造費の低減および即納が可能となり、結果的に「整形外科靴」と呼ばれる分野における健康保険支出の抑制や家計における医療支出を軽減しうる技術となるのである。
（ニ）本考案の中敷きは靴と合わせると半足あたり約２５０グラム〜５００グラムあり、決して軽い靴ではない。
これまでの靴メーカーの発想は「歩行時の負担を軽減するために極力軽い靴を造る」というものであった。
しかし、現代人は１日に歩く時間と距離がおおむね限られており、このことが脚力低下の原因になっているのである。
そこで本考案では、あえてやや重めの靴と免震（免振）中敷きを組み合わせている。
実はこのやや重めの靴が限られた歩行時間や歩行距離の中で効率良く骨格や筋肉に負荷を与え、足腰の筋肉を強化したり骨密度を高めると共に、足を前方に踏み出しやすくする「振り子のおもり」の役割を果たすのであり、弾力性に富んだ免震（免振）機能を有する中敷きが足を前に押し出す際のバネの役割を果たしている。
（ホ）人体には直立時もしくは二足歩行時におけるバランス保持機能が備わっており、その身体構造も揺れのエネルギーを骨格や筋肉等で吸収しやすい制振構造となっている。
また人体は歩行や運動時の揺れや慣性のエネルギーを吸収し身体のバランスを保つために上肢や腰部もしくは頭部を前後左右に動かすことで迅速に身体の重心の不均衡を回復しようとする。
免震（免振）構造を有する中敷きはこうした人体の制振機能を足元から支え補完するものであるが、その際たとえば骨折や足の関節の変形等で特定の関節や筋肉が機能しにくい場合、その機能しにくい部位もしくはおおむねその対角線上に位置する上肢や肩もしくは頭部に流動性のある液体と少量の気体を封入した弾力性のある容器を「ある種のおもり」としてマジックテープ等で固定することでスタビライザーの役割を発揮させる。（図９）
これにより人体は歩行時や運動時にさらにバランスを保持しやすくなり、免震（免振）構造を有する中敷きと人体に生来的に備わっている制振機能をより融合しやすくすることで歩行機能や運動機能を改善向上させるのである。【０００６】
【実施例】（１）まず歩行機能もしくは運動機能を改善向上しようとする人体に、カイロプラクティックもしくは整体等の療術を施術するか、骨盤体操もしくは股関節体操を実施し、必要があれば骨盤矯正ベルトやテーピング等を行って骨盤を中心とした骨格のバランスを回復させる。特に踵骨および距骨の矯正や中足骨の矯正が必要な場合はテーピングやサポーターもしくは関節アライメント効果を有するタイツや靴下類の装用を併用し骨格のバランスを維持する。
（２）次にあらかじめ足を入れ大きさを確認し選択しておいた靴類に格納されている免震（免振）機能を有する中敷きを取り出し、背筋を伸ばして椅子に座った姿勢で中敷きの上に足を載せ、中敷きの踵部分の中心に踵骨の中心が収まるよう足を載せる。
この際、中敷きの爪先部分に１ｃｍ以上の余裕があることを必ず確認する。
椅子に座った姿勢で中敷きの上に足を載せた場合と、立位で全体重を中敷き上に載せた場合では足囲（爪先部分の円周）等に誤差が生じるからである。
なお、ユーザーが持ち込んできた靴類に免震中敷きが格納可能である場合も手順は同様である。
（３）拇指球（第１指中足骨前方関節の最高点）を手で探り、その直下の中敷側面に油性ペン等で印を付ける。同様に小指球（第５指中足骨前方関節の最高点）を手で探り、その直下の中敷側面に油性ペン等で印を付ける。これは図５のイ・ウの基点を特定する作業である。
（４）さらに前項▲３▼で付けた印を直線で結び、この線上から爪先方向２０ｍｍ〜３０ｍｍの範囲に中足骨パッド（図５のエ）の中心が来るようにこれを固定する。
（５）また踵骨のズレを防止する目的で図７のキのようにＵ字形パッドを固定し、さらに内くるぶしの直下に脚部の血流を改善し踵骨の前滑りを防止するために、図５のア〜イを結ぶ横アーチを支える血流アーチパッド（図７のカ）を固定する。
なお、この図７に示すエ・キ・カの各パッドの素材はおおむね免震（免振）機能を有する中敷きと同一のものとし、その弾力性・面積・高さ・位置・形状は、年齢や脚力および足腰のトラブルもしくは３Ｄスキャナーによる解析データや足と靴のフィット感に合わせて適時選択する。
（６）３つのパッドを各々固定したら中敷きの表面に、植物性タンニンなめしによる食肉豚の皮革を裏返し（バックスキン）に固定する。
その際、バックスキンはパッドの微調整のために剥がしやすいようにあえて接着力の弱い接着剤を使用すると良い。
（７）免震（免振）中敷きを靴に入れ、２〜３週間ほど足慣らしを行い靴の変形がほぼ収まった時点で、中敷きを取り出し中敷きの表面に貼られた豚革の汚れや摩擦痕もしくは足圧の分布状況から歩行時運動時における骨格等の連続運動の記録を読みとり、三つのパッドの位置の微調整や関節アライメントを補佐するための三つ基点の各々の高さを調整し、弾性低下の素材等があればこれを交換し、さらに必要であれば脚力の向上や年齢・体重・体調・季節・心理等の変化等に合わせて適時これらのチューニングを繰り返す。【０００７】
【考案の効果】
本考案の特徴は着脱可能かつ改造余力の大きな免震（免振）中敷きを靴類に入れることで、運動不足や生活習慣のなかで歪みやすい骨格や骨盤を歩行することで揺さぶり、これにより足元から全身の関節配列（アライメント）を補佐し、その持続を可能にすることにある。またこの技術は安全かつ無害で苦痛がなく、高齢者の健康維持増進や障害者の歩行運動機能の向上にも貢献しうるものであり、以下のような多くのトラブルに関して改善効果が見られる。
本考案の有利性は以下の通りである。
（１）我が国の履物文化等の特異性に着目した技術であるため我が国における外反母趾・腰痛等の予防と歩行および姿勢の改善効果が顕著である。
特に外反母趾については骨盤の歪みを補正することで拇指球や小指球に掛かる偏った足圧を軽減でき、この部分の痛みを軽減し外反母趾等の進行を防ぐことが可能である。
また、「コンニャク足」と呼ばれるファッションを優先したために起こる著しい脚力低下や、歩行を忌避する世代、歩行をストレスと受容する世代の増加による慢性的な脚力の低下の予防と改善に効果がある。
（２）中敷きの厚さが１０ｍｍ〜２５ｍｍあるため、脚長差の補正では単に中敷きの踵部分をカットするだけで済み、姿勢改善や歩行機能の向上およびＯ脚やＸ脚の改善が容易かつ安価で各関節に掛かる負担や衝撃が軽減できる。
（３）免震中敷きにより歩行時の脳のストレスを軽減し、歩行による健康の維持増進効果を高め生活習慣病の予防と改善が可能である。
（４）足の裏のマッサージ効果による冷え性・足の「むくみ」や「しびれ」等の改善および足にできる魚の目やタコの改善に効果がある。
（５）リウマチや股関節・膝関節等の変形部位への衝撃の緩和等、特定の関節への負担を免震（免振）機能により分散することが可能である。
（６）看護師・電気ガス水道等のメーター検針員・宅配便運転手等の労働環境から生じる足腰膝痛等のトラブルの改善に効果がある。
（７）心理的原因による歩行特性の変化の改善が可能。
（８）歯の噛み合わせの改善や音楽関係者の音域声量の拡大および息継ぎの改善。
（９）スポーツ競技者のフォームの補正や腰痛・膝痛等の改善。
（１０）成長期の子供・児童・生徒の姿勢改善および「ひきこもり」や不登校の改善。
（１１）医者に掛かることの時間的経済的負担の軽減、入院に伴う脚力の低下、院内感染や輸血に伴う様々な感染症の回避、医療過誤や医療上のモラルによって生じる様々なリスクの回避、手術の後遺症や術後のリハビリにおける苦痛と費用の軽減。
（１２）歩行改善効果が靴医学会で否定された高価なドイツ式整形外科靴や足底挿板（足底板）に代わる、我が国固有の免震（免振）中敷きの普及により無用の保健請求を減らし、行政が負担してきた整形外科靴に関する医療費支出を大幅に削減できる
（１３）本考案は義足や歩行を補助する装具を使用している場合に生じる歩行時における重心の不均衡を免震中敷きとスタビライザーにより安価に迅速に改善しうる。
（１４）約１０分ほどで中敷きの加工が済み、靴類と中敷きはその場でユーザーが履いて帰ることができる。
【図面の簡単な説明】
【０００８】
【図１】従来のドイツ式および欧米系「三つのアーチ理論」の模式図  この場合イ〜ウの５つの関節はアーチ型に配列される
【図２】免震（免振）構造及び免震（免振）機能の概念図  手指の上に棒を立たせ、この棒が倒れないように手でバランスを取る様子を図示したものである
【図３】地震に強い高層ビルの制震（制振）構造の模式図  人体の骨格構造（特に背骨）とこの模式図には柔構造による制震（制振）機能という共通点がある
【図４】中足骨部分が窪んだ欧米系の中敷きでは前アーチ（イ〜ウの５つの関節）がこの窪みに落ち込み逆アーチとなる。  この結果５つの関節が放射状に配列され外反母趾や内反小指になりやすくなる
【図５】免震中敷きと日本型４点支持理論を組み合わせた模式図および免震中敷きの断面図  エの中足骨パッドはドイツ式足底挿板の中足骨パッドに比べ２０ｍｍ〜３０ｍｍ前方に固定し高密度独立発泡樹脂を素材として用いる
【図６】従来の中敷きにおける踵骨固定パッドの一般的使用方法
【図７】日本型４点支持理論における踵骨固定パッドの使用方法と他のパーツの配置図
【図８】免震中敷きを格納しうる靴類のつま先部分の断面図
【図９】流動性のある液体を封入したバランサーもしくはスタビライザーの構造
【手続補正３】
【補正対象書類名】図面
【補正対象項目名】図８
【補正方法】変更
【補正の内容】
【図８】
0003103236.tif 000011
【手続補正書】
【提出日】平成16年3月19日(2004.3.19)
【手続補正１】
【補正対象書類名】実用新案登録請求の範囲
【補正対象項目名】全文
【補正方法】変更
【補正の内容】
【実用新案登録請求の範囲】
【請求項１】
長さ１００ｍｍ〜３００ｍｍの範囲を有し、横幅４０ｍｍ〜１３０ｍｍ、厚さ５ｍｍから２５ｍｍの範囲の大きさを有し、素材が硬度３０から６０の弾力性を有する高密度独立発泡樹脂や多孔質シリコン樹脂等からなる靴類の中敷きの形状をもつ免震機能を有する基底部と、
この基底部上面の足の踵に対応する部位に設けられ、踵骨を爪先方向から⊂形にはさみ込むように固定した硬度３０から６０の弾力性を有する高密度独立発泡樹脂や多孔質シリコン樹脂等からなるＵ字形踵骨固定パッドと、
この基底部上面の足の土踏まずの踵骨寄りの部位に設けられ、硬度３０から６０の弾力性を有する高密度独立発泡樹脂や多孔質シリコン樹脂等からなる流線型踵骨固定パッドと、
この基底部上面の第１趾の中足骨頭部と第５趾の中足骨頭部を結ぶ直線の中間点より爪先方向に半径５０ミリの範囲内にその中心が置かれる硬度３０から６０の弾力性を有する高密度独立発泡樹脂や多孔質シリコン樹脂等からなる楕円形もしくは水滴形もしくは多角形をした中足骨パッドを備えたことを特徴とする靴類の中敷き。
【請求項２】
植物性タンニンなめしによる食用豚のバックスキン製であり、０，３ｍｍ〜１，５ｍｍの厚さを有し、上記Ｕ字形踵骨固定パッドと流線形踵骨固定パッドおよび中足骨パッドを備えた基底部上面の全面もしくは一部を覆うように貼られる敷き皮を更に備えたことを特徴とする請求項１記載の靴類の中敷き。
【請求項３】
靴類の中敷きとバランサとの組合わせであって、
靴類の中敷きは、長さ１００ｍｍ〜３００ｍｍの範囲を有し、横幅４０ｍｍ〜１３０ｍｍ、厚さ５ｍｍから２５ｍｍの範囲の大きさを有し、素材が硬度３０から６０の弾力性を有する高密度独立発泡樹脂や多孔質シリコン樹脂等からなる靴類の中敷きの形状をもつ免震機能を有する基底部と、
この基底部上面の足の踵に対応する部位に設けられ、踵骨を爪先方向から⊂形にはさみ込むように固定した硬度３０から６０の弾力性を有する高密度独立発泡樹脂や多孔質シリコン樹脂等からなるＵ字形踵骨固定パッドと、
この基底部上面の足の土踏まずの踵骨寄りの部位に設けられ、硬度３０から６０の弾力性を有する高密度独立発泡樹脂や多孔質シリコン樹脂等からなる流線型踵骨固定パッドと、
この基底部上面の第１趾の中足骨頭部と第５趾の中足骨頭部を結ぶ直線の中央より爪先方向に半径５０ミリの範囲にその中心が置かれる硬度３０から６０の弾力性を有する高密度独立発泡樹脂や多孔質シリコン樹脂等からなる楕円形もしくは水滴形もしくは多角形をした中足骨パッドとを備え、
バランサは、長さ１２０ｍｍ〜１２００ｍｍ、幅３０ｍｍ〜１２０ｍｍ、厚さ３ｍｍ〜２０ｍｍ、重さ１００ｇ〜３５０ｇの形状を有する変形可能な密封容器と、
密閉容器に封入された流動性のある液体又は粉体と、
密閉容器を身体のいずれかの部位に固定するために密閉容器に取り付けられた面ファスナーとを備えたことを特徴とする靴類の中敷きとバランサとの組合わせ。
【手続補正２】
【補正対象書類名】明細書
【補正対象項目名】全文
【補正方法】変更
【補正の内容】
【考案の詳細な説明】
【技術分野】
【０００１】  本考案は靴類の中敷き及び靴類の中敷きとバランサとの組合わせに関する考案であり、請求項１の特徴を有する免震機能を有する靴類の中敷きを靴類の中に設置することで、足元から全身の関節配列（アライメント）を補助し、人体の重心の不均衡を緩和するとともに、生活習慣の中で生じる骨格の歪みや心理的な影響による骨盤等の歪み等を改善しやすくする技術であり、これによりバランスの取れた骨格や筋肉を形成するとともに、歩行や運動における脳の緊張やストレスを軽減することを目的とする技術である。
また請求項１の特徴を有する免震機能を有する靴類の中敷きの上面に請求項２の植物性タンニンなめしによる食用豚のバックスキン製の敷き皮を靴類の敷き皮として貼ることで、請求項１のＵ字形踵骨固定パッドや流線型踵骨固定パッドおよび中足骨パッドの効果的な位置や、歩行および運動時の体重移動・足圧の変化・足指の動き・身体のバランス等の連続性のある多様なデータを採取する記録シートの役割をなし、このデータにもとづき日常的な歩行機能や運動機能の改善および心理的影響による姿勢の変化等を改善し、歩行運動効果の効率を高めることを目的とする技術である。
さら請求項１の免震機能を有する中敷きと、請求項３のバランサを組み合わせることで、歩行時・運動時における人体の重心の不均衡をより容易かつ迅速に回復するさせるための制震機能をなし、液体や粉体の流動に伴う慣性の法則による運動機能の向上や身体のバランスを取りやすくするための「おもり」として、あるいは振り子の原理による上肢下肢等の可動範囲の拡大を目的とするバランサの技術である。
【背景技術】
【０００２】本考案は、「靴のフィット性を改善する方法」（特許公開平５−１８４４０９）とか、単に「靴が足に合う、合わない」「歩きやすい、歩きにくい」「足が痛い、痛くない」といった問題や、これらのトラブルを改善すべく考案された「足の裏の形状をそのまま立体的に複製して造られた各種中敷き類」等の先行技術と同一視すべき技術ではない。
本考案は、「人体は２０６個の骨格の積み木であり、歩行とは足がこれらの骨格や骨盤を支えつつ脳が全身のバランスを取りながら移動するダイナミックな連続運動であり、靴はその足元を安定させる土台として機能している」と捉えている。
我が国におけるこれまでの歩行改善技術は欧米系の歩行理論である「３つのアーチ理論」（図１参照）に基づいたものであって、この理論は主として土踏まず部位を極端に靴類の中敷きによって押し上げるとともに、中敷き表面の第３趾中足骨の中央部分を６ｍｍ前後膨らませることで「３つのアーチ」を構築し、これにより歩行を安定させようとするものであり、この技術は世界的に広く流布しているが我が国の実情に即した理論ではなかった。
たとえば欧米人と日本人では依然として身長体形及び骨格・筋力に明確な違いがある。また固い乾燥した地面や石畳の上を木靴や固い革底の靴で歩いてきた欧米人の数千年に及ぶ履物の歴史に比べ我が国の履物の歴史は短く、わが国の生活様式は草が生えた湿った柔らかい地面の上を素足や草履等で歩いたり、畳の上での生活が長かったという特徴がある。たとえば我が国においては「靴を日常的に装用する生活文化」が完全定着して未だ４０年ほどでしかない。
我が国の５０代半ば以上の世代では、高校卒業時までは通学時には下駄を履き、学校の上履きはゴム草履、運動の時間は裸足というのが通例であった。
また欧米では起床と同時に靴を履き就寝まで靴を装用し続けるという履物文化を有しているのに比べ、我が国では起床後は素足やスリッパで家の中を歩き回ってから靴を履くという履物文化を維持しており、靴を脱ぐことでリラックスすると感じる履物文化を特徴としている。
さらに我が国では、依然として履物を脱いで家に上がるという履物文化を有しており、特に我が国の主婦は家の中では素足やスリッパで生活し外出時にのみ履物を装用するという、いわば素足べた足歩行と履物装用歩行を日常的に何度も往復するという特異な履物文化を有するともに、一部には正座習慣も根強く残っている。
従って我が国ではまだ、靴という外来の履物に完全に骨格が適応しきっていない可能性が強いのである。
このため欧米で考案された「３つのアーチ理論」をそのまま我が国に適用することは無理があるばかりか、足や腰のトラブルを増加させてしまう恐れすらある。
そのうえ主婦や若い女性は買い物や散歩または「お出かけ」のつど、ミュールサンダルやスニーカー・ハイヒール等の履物の構造が大きく異なり、歩行特性や姿勢を著しく変化させるような構造を有する履物を日常的に履き替えているのが実情である。
そのうえ我が国では慢性的な運動不足に加え、交通機関がくまなく発達し、ほとんどの道路は固く舗装され、住宅の中の畳の面積が減少する一方あり、しかも各所にエレベーターやエスカレータが設置され、ビルや住宅の中ではきわめて固く、しかも段差のない床面が増加している。
つまりバリアフリー社会の進展そのものが現代人の脚力不足を助長している側面があり、５０年以上も前の古い欧米系の歩行理論ではもはや対応しきれない現実に直面している。
また高齢社会の進展に伴い骨粗しょう症や転倒による骨折およびリウマチ等の歩行困難者の増加や、ファッションのみを重視し見た目ばかりを重視する若者の増大に伴う「コンニャク足」（著しく脚力が低下したため幼児のように足首から先が柔らかくなってしまった足）や外反母趾等の増加、および成長期にある幼児・学童・学生等の著しい脚力の低下も憂慮され、短時間であっても直立していられない「ジベタリアン」と呼ばれる特異な世代も出現している。
そしてこれらの現象を突き詰めて行くと、欧米系の歩行理論である「３つのアーチ理論」は、歩くことが当たり前の時代に生まれた古い技術やコルク等の古い素材にもとづいており、歩くことすら忌避され、交通手段の発展により歩行機会そのものが失われつつある我が国の実情にそぐわない技術となっているといわざるを得ない。
また欧米系の歩行理論である「３つのアーチ理論」は、起床後に履いた靴は就寝まで一日中履き続けるという欧米の履物文化を前提にしており、我が国の主婦のように家の中では素足かスリッパの装用によるべた足生活を送り、しかも外出のつどサンダルやスニーカーまたはパンプスというように構造が著しく異なる複数の履物の間を日常的に往復するという特異な履物文化を全く想定していなかった。
つまり欧米系の「３つのアーチ理論」は、我が国の靴装用に関する歴史の浅さや生活習慣による履物文化のちがい及び骨格体形筋力等の差異すらまったく考慮していない理論と言わざるを得ないのである。
また「３つのアーチ理論」にもとづく欧米系の靴や中敷きもしくは足底板（足底挿板）は、一部に足当たりをソフトにする目的で数ミリ厚のウレタンシート等が表面にのみ貼り付けられているものもあるが、その構造材自体はきわめて固いか薄く、土踏まずと第３趾の中足骨中央を６ｍｍ前後膨らませることで足首から爪先にかけて骨格と筋肉と靭帯によって形成される「３つのアーチ」を強制的に構築することで歩行機能を改善しようとするものであり、衝撃吸収性が劣り膝や股関節に着地の衝撃が伝わるという欠点があった。しかも実際に日本人が装用すると図４の下図のように靴の中で爪先の骨格が逆アーチとなり、この結果足の裏に魚の目やタコができやすくなるのである。
また「３つのアーチ理論」に基づいて製作されたドイツ式中敷きは、どれもが画一的であって、その目的は靴の中に強制的に「３つのアーチ」を構築することで一時的な「歩きやすさ」をもたらす程度の機能しかないと断言せざるをえない。
なぜなら「３つのアーチ理論」に基づいて製造された靴の中底や中敷きは、すべてつま先の中足骨部分が浅い「すり鉢状」に窪んでおり（図４の下図参照）、この窪みに第１趾中足骨頭部（母指球）と第５趾中足骨頭部を結ぶ前アーチが落ち込み、我が国のように素足かスリッパの装用によるべた足生活を日常的に行い、しかも素足やべた足で家の中を歩き回ってから靴に足を入れる生活習慣の中では、靴を履いた瞬間に第１趾中足骨頭部（母指球）と第５趾中足骨頭部を結ぶ前アーチが「逆アーチ」となってしまい、この時点ですでに「３つのアーチ」が崩壊してしまうからである。
実はこの現象こそが我が国における様々な足や腰のトラブルを助長しているのであり、この「逆アーチ」部分に魚の目やタコが発生する事例が多発している。
我が国で広く普及しているドイツ靴（ドイツ式整形外科靴）やドイツ式足底挿板（足底板）は、第二次世界大戦により国土の大半が瓦礫の山と化し、足を負傷した国民が多かったというドイツの国情から生まれた靴であり、トレッキングシューズに近い強固な造りを特徴としている。
またこのドイツ靴の中に入れられている中敷きは完全に規格化・マニュアル化されており、歩行のトラブル別にあらかじめ量産された既成の中敷きが用意されていて、販売者は購入者の足のトラブルとフットプリント（足の裏にインク等を付着させ、立位静止状態の足形を平らな紙の上に写し取る手法）にもとづいて歩行特性の判定を行い、あらかじめ用意された既成の中敷きの中から該当する番号のついた中敷きを選び出して購入者に提供しているにすぎないのである。
しかしこの手法では静止状態の足の形状（骨格）と、歩行という連続運動における足の形状（骨格）が同一であるという重大な誤謬を含んでいるのであり、特に全身の骨格や関節のアライメントを補助したりこれを持続させるには不充分な技術だったのである。
また従来の中敷きに使用されてきた中敷きの表面に貼る敷き皮の多くは合成皮革ないし各種繊維布等であり、これらは意図的に靴に足が滑り込みやすく、しかも汚れにくく汚れが目立ちにくい素材や色彩が用いられてきた。
このため従来の敷き皮では敷き皮に付着した汚れや摩擦痕から靴装用歩行における連続した足の骨格の動きや足指の動きおよび加重バランスを読みとる機能がなかったのである。
たとえばこの課題に取り組む先行技術として、歩行時における足圧（足の裏にかかる体重と靴底からの衝撃を総合した圧力）を測定すべく電子式圧力センサーを床上に敷き、靴を脱いでその上を歩かせたり、薄いシート状の電子式圧力センサーを履物の中に入れ平面的なコースを歩かせることで足圧をデジタル測定する技術が存在する。
しかし、屋外の歩道等は決して平面ではないし、現代人はほとんど手ぶらで歩くことがなく常になんらかの手荷物を携行しながら歩行しており、季節や天気・気温・湿度・体調・靴類のかかとの高さ・ファッション・気分等で歩行特性はめまぐるしく変化し、骨盤もその影響を受けざるをえないのであり、結局電子式圧力センサーを用いて計測した室内データは実際の歩行特性とは無縁のデータでしかなく、このデータに基づいて靴中敷きを調整加工してもほとんど意味がないのが実情である。
特に脚力低下が著しい現代人は、図１の「３つのアーチ」が形成しにくく、「３つのアーチ」による免震機能が期待できない状況にある。
それにもかかわらず、ドイツ式中敷きや足底挿板の目的は「３つのアーチ」やその上に積み木状に配列された骨格を固定するものであり、サスペンションやショックアブソーバー機能を有するスニーカー等の目的もあくまでも衝撃吸収を目的として開発された技術であって、人体の動揺を利用してアライメントを生じさせつつ、骨格の不均衡を改善する技術ではなかったのである。
むしろ「３つのアーチ」が形成されにくい現代人にこそ足元から全身の骨格を支えつつ関節アライメントを生じさせる免震機能を有する靴類の中敷きが必要なのであり、欧米の歩行理論である「３つのアーチ」もそれを基底部から支える免震構造があってこそ充分機能を発揮でき、免震構造と「３つのアーチ」が一体化したとき始めて骨盤を中心とする骨格とそれらを支える各種筋肉および靱帯が結合して、よりダイナミックなアライメントが発揮され、脳による身体のバランスコントロールも容易になるのである。
つまり人体は歩行等の運動による身体の動揺を抑制したり、固定してしまうのではなく、二足歩行によって生じる動揺を免震中敷きによって支えることで、骨格や骨盤等の歪みを補正する関節アライメントを発生させ、歪みが改善された骨格を脳が有する生来的な制震機能によってバランスを保ち持続させるほうが歩行時運動時における脳の緊張やストレスを軽減させるのである。
ところが従来からある「３つのアーチ理論」は、土台となる靴中敷きに固いコルク混入成形素材やせいぜい厚さ３ｍｍ〜５ｍｍ程度の衝撃吸収素材を使用している。
こうした固い素材や薄い中敷きでは、足元から全身の関節配列（アライメント）を補正することが不十分であるばかりか、歩行中に遭遇する地面の凹凸や靴底の摩耗、さらには手や肩に下げた荷物の影響による骨格の歪みさえも直接骨盤に伝えるという欠点を有していたのである。
なお、先行技術として靴底そのものに免震素材を用いるという技術も存在するが、免震素材は靴底としては柔らかすぎ靴底がすり減りやすく、その結果むしろ骨盤等を歪めるおそれがあり、靴底に免震素材を用いることで生じる効果もつまびらかにされていない。
また平成１４年９月２７日開催の第１６回日本靴医学会学術集会（仙台市）における論文（論文名「ドイツ式整形靴・足底挿板が外反母趾角開帳度に及ぼす効果」永生病院整形外科  赤木家康・今井安秀およびドイツ靴メーカー：フスウントシューインスティチュート社員  遠藤  拓・ルッツベーレ・オリバーシュピッツによる日独合同研究）においてドイツ式整形外科靴および足底挿板は欧米人には適合しても日本人には適合しない旨明確に否定されている。
これは欧米との履物の歴史や文化の差異に加え、「３つのアーチ理論」の基点となる三つの骨格ポイントを特定する手法が主に「フットプリント」等に代表される静的状態の足形を判定の根拠にしていたために生じた当然の帰結と思われる。
このためこれらの欠点を改善し、我が国の履物の歴史や履物文化に適応し、かつ歩行運動効果や歩行改善効果を高めるような独自性・新規性を有する中敷きの発明が待たれていたのである。
【考案の開示】
【考案が解決しようとする課題】
【０００３】人体の骨盤は柔らかなソファーに座ったり、膝組み・横座り・あぐら座り・慢性的な運動不足・重いカバン等を携行する等の日常的な行為でも歪んでしまう。
また医師は、日常生活の中で歪みやすいという骨盤の特徴を忘れ、高血圧症や肥満・糖尿病等の生活習慣病の患者に対し必ずウォーキングを奨めている。
しかも骨盤を正しく支える機能が備わっていない靴を履いて歩くと骨盤は日常生活の中で生じたゆがみを温存したまま歩行することになり、その結果人体の骨格は足元から頭部にかけて３次元のＳ字型に蛇行し、歩行姿勢は前後左右に歪み、重い頭蓋骨はバランスを取ろうとして傾くため頸部が凝ったり歯のかみ合わせが悪くなることもあった。
また不安定な姿勢で歩くことで、歩行者は意識していなくても脳は常に全身のバランスを取ろうとして緊張するのであり、それが歩行を忌避させるストレスになりかねないのである。
つまり現代人にとって、歩くこと自体がストレスになっているのであり、このストレスのために歩いたあと疲労感が残り、甘い飲み物やビールが飲みたくなったり、単にお腹がすいて間食してしまうのである。
ちなみにスポーツ医学の分野では、ウォーキング（及び運動）は、バランスがとれた骨格で行わなければ集中力が低下し、バランスのとれた筋肉も付きにくく、骨密度を高めることも難しいといわれている。
また従来のスニーカーや一部のウォーキングシューズに採用されている様々なショックアブソーバー構造やサスペンション構造は、詰まるところ単なる衝撃吸収や靴底の弾力性の向上か、欧米系の古い歩行理論にもとづく足首から下の「３つのアーチ」の補正にとどまっており、骨盤や骨格を関節アライメントにより補助したり、人体に生来的に備わっている脳の制震機能を補完するものではなかったのである。
たしかにドイツ系の靴と中敷きには足首から下に骨格と靱帯および筋肉が複合的に形成した「３つのアーチ」の構築を目的としたものが多いが、欧米人と日本人の骨格の差異および履物の歴史や履物文化の違いがまったく考慮されておらず、その効能は前記・日本靴医学界の論文において否定された経緯もある。
またドイツ系の中敷きの素材自体もコルク等のチップを樹脂類で固めた硬い素材であるため衝撃吸収性が劣るばかりか、地面の凹凸や靴底がすり減った場合に生じる足元のひずみもそのまま膝や股関節を通じて骨盤にも伝わるといった欠点があった。
このため、こうした固い中敷きで骨盤の歪みを完全に補正しようとすれば、骨盤のバランスを保つべく常に中敷を削る等の微細な調整が必要となり、費用や時間も掛かり現実的には個々のトラブルに完全に対応できる理論や技術ではなかったといわざるを得ない。
ましてやドイツ系・欧米系の靴と中敷きには、免震機能が備わっておらず、人体に生来的に備わっている制震機能を補助する機能もないばかりか、人間は心理的な影響でも歩行姿勢が急変するという事態にもまったく対応できず、そうした事態すら想定していなかったのである。
特に現代人は手ぶらで歩行することがほとんどなく、手提げ鞄や肩掛け鞄・リュック等何らかの骨格に影響を与える一種のおもりを携行するのが常である。
こうした状況に加え、人は心理的な要因でも歩行姿勢が急変したり骨盤等が大きく歪むことが起こりうる。
さらに人間は加齢や体重の変化・妊娠等で骨盤や骨格のバランスが変化するが、それ以外にもたとえば嬉しいことがあればウキウキと歩き、不安や心配事があればうなだれて歩くのであり、その結果骨盤や骨格は微妙に変化し、それに伴って筋肉が伸縮し腰痛や肩こりが起こるのである。また人体の筋肉は脳からの微弱な電流によって伸縮するため、ストレスにより左右の足の長さも変化し、骨盤や骨格が歪む可能性もある。
もともと筋肉は脳からの微弱な電流によってコントロールされているのであり、骨格が筋肉と靱帯によって支えられていることを考慮すれば脳のストレスが筋肉を萎縮させ骨格を変動させることは、むしろ当然の現象と言うべきである。
従って常時骨盤や骨格のバランスを補正し、歩くことで骨盤のバランスを回復しつつ人間の心的影響による歩行特性の変化にも対応可能な靴類の中敷きの開発が真に必要のである。
なお、現代では医者に掛かることが時間的負担となるばかりか、治療費の自己負担率の増加や入院に伴う脚力の低下、あるいは入院中の院内感染や輸血に伴う様々な感染、医師の技量やモラルの低下、様々な医療過誤、手術の後遺症、術後のリハビリにおける時間と費用の負担およびリハビリに伴う苦痛、その間の家族のさまざまな経済的負担の増加等、入院や手術には実に多くのリスクや負担が伴っているのが実情である。
【課題を解決するための手段】
【０００４】上記目的を達成するために請求項１の、
長さ１００ｍｍ〜３００ｍｍの範囲を有し、横幅４０ｍｍ〜１３０ｍｍ、厚さ５ｍｍから２５ｍｍの範囲の大きさを有し、素材が硬度３０から６０の弾力性を有する高密度独立発泡樹脂や多孔質シリコン樹脂等からなる靴類の中敷きの形状を有する免震機能を有する基底部（図７の３２）と、
この基底部上面の足の踵に対応する部位に設けられ、踵骨を爪先方向から⊂形にはさみ込むように固定した硬度３０から６０の弾力性を有する高密度独立発泡樹脂や多孔質シリコン樹脂等からなるＵ字形踵骨固定パッド（図７の２５）と、
この基底部上面の足の土踏まずの踵骨寄りの部位に設けられ、硬度３０から６０の弾力性を有する高密度独立発泡樹脂や多孔質シリコン樹脂等からなる流線型踵骨固定パッド（図７の２６）と、
この基底部上面の第１趾の中足骨頭部と第５趾の中足骨頭部を結ぶ直線の中間点より爪先方向に半径５０ミリの範囲内にその中心が置かれる硬度３０から６０の弾力性を有する高密度独立発泡樹脂や多孔質シリコン樹脂等からなる楕円形もしくは水滴形もしくは多角形をした中足骨パッド（図７の２３）を備えたことを特徴とする靴類の中敷きと、
請求項２の植物性タンニンなめしによる食用豚のバックスキン製であり、０，３ｍｍ〜１，５ｍｍの厚さを有し、上記Ｕ字形踵骨固定パッドと流線形踵骨固定パッドおよび中足骨パッドを備えた基底部上面の全面もしくは一部に貼られる敷き皮（図９の３５）を更に備えたことを特徴とする請求項１記載の靴類の中敷きと、
請求項３の靴類の中敷きとバランサとの組合わせであって、
バランサは、長さ１２０ｍｍ〜１２００ｍｍ、幅３０ｍｍ〜１２０ｍｍ、厚さ３ｍｍ〜２０ｍｍ、重さ１００ｇ〜３５０ｇの形状を有する変形可能な密封容器と、
密閉容器に封入された流動性のある液体又は粉体と、
密閉容器を身体のいずれかの部位に固定するために密閉容器に取り付けられた面ファスナーとを備えたことを特徴とする（図１０）。
これらの免震機能を有する靴類の中敷きを靴類の中に設置し、さらにバランサと組合わせることで、足元から全身の関節配列（アライメント）を補助し、人体の重心の不均衡を緩和するとともに、生活習慣の中で生じる骨格の歪みや心理的な影響による骨盤等の歪み等を改善しやすくする技術であり、これによりバランスの取れた骨格や筋肉を形成するとともに、歩行や運動における脳の緊張やストレスを軽減することを目的とする技術を提供する。
特に本考案における植物性タンニンなめしによる食用豚のバックスキン製の敷き皮は、免震機能を有する基底部上面固定されたＵ字形踵骨固定パッドと流線型踵骨固定パッドおよび中足骨パッドを覆う靴類の敷き皮であり、免震機能を有する基底部上面に固定された３つのパッドの効果的な位置関係を検証する手掛かりとなるとともに、人体のいずれかの部位に固定されたバランサの歩行時・運動時における効果的な部位の割り出しや、歩行することで派生する関節配列（アライメント）を補助するための立体的かつ連続的な運動の記録を採取する役割を担っている。
これにより、より鮮明な足圧の汚れや摩擦痕が得られ、これを解読することで日常的かつ連続的な歩行特性や運動時の重心の不均衡等が把握しやすくなるのである。
【考案の効果】
【０００５】  もともと人体は地震に強い高層ビルと類似した柔構造を有しており、むしろ地震に強い高層ビルの柔構造こそ人体の骨格の強靱さと「しなやかさ」をモデルに開発された事実に着目し、強い地震に耐えうる高層建築物の基礎と土台の間に挟み込まれている強靱なスプリングや厚い防震ゴム等によって地震による揺れのエネルギーが吸収され、これがビルのバランスを保ち倒壊や損壊を防いでいる。本考案はこの技術を靴類の中敷きとして応用するものである。
請求項１記載の免震機能を有する基底部は厚さ５ｍｍから２５ｍｍの靴類の中敷きの形状を有しており、建築における免震構造を応用して人体の動揺（揺らぎ）を足元から支え人体における動揺のエネルギーを吸収する機能を有している。この機能により立位時や歩行および運動における二足歩行の宿命ともいうべき人体の動揺（揺らぎ）を抑制し、足元から人体の均衡を支えるとともに、従来は脳の指令でしか身体の均衡を取ることができなかった人体の根源的な仕組みを足元に設置した免震構造で補完する機能を有している。
また、免震機能を有する中敷きは素材自体のスプリング効果により歩行時の足を前に押し出すため、容易に足が前に踏み出しやすくなり、歩行可能距離が向上し脚力の向上をもたらすとともに、心理的要因による姿勢の変化や日常生活の中で必然的に生じる骨格骨盤関節の歪みを改善すると共に、人体もしくは脳に生来的に備わっている制振機能を補助し、立位時や歩行時における脳の緊張やストレスを軽減させ、歩行することでこれらの効果を持続させる効果がある。
人体は２足歩行や静止直立をしていても骨盤を中心とする骨格とそれらを支える各種筋肉および靱帯は、脳の指令によってバランスを取ることで横揺れや縦揺れ等を吸収する生来的な制震機能によりバランスを保持している。
ところが２足歩行を行う人間の骨格（特に背骨）はもともと図３に似た免震構造を有しているのに、靴類には本格的な免震構造が欠如していたのであり、ショックアブソバー機能や名目的なサスペンション機能をうたった靴や中敷きが市販されていても、人体が生来的に保有する制震機能を補助したり、これを補完する目的で考案された免震中敷きは考案されていなかったのである。
本考案は、あえて中敷きに厚さ１０ｍｍ〜２５ｍｍもあるソフトな免震素材を用いることで、従来の靴や中敷きでは実現不可能であったより高度な免震機能を付与することを可能にする。
またこうすることで足の裏にかかる重心の一局集中を分散し、足の裏にできる魚の目やタコを防ぎ、歩行中の脳のストレスを減らすと共に、加齢や体重の変化もしくは心理的な影響による歩行姿勢の変化が生じた場合でも、歩行中の骨格特に骨盤を足元から支えつつ全身の骨格の動的アライメントの補正や全身の骨格のバランス補正が可能となる。
また加齢や体重の増減および心理的な影響による歩行姿勢の変化や靴底の摩耗が生じた場合でも、上半身の骨格の歪みや揺れを免震構造により吸収し、人体に備わっている制震機能を補助するバランサの作用により、足元から骨盤を支えそのバランスを保つことで歩行姿勢を補正し、転倒や腰痛等も未然に防ぐことが可能となる。
請求項１のＵ字形踵骨固定パッド（図７の２５）は、
請求項１の基底部（図７の３２）の上面における足の踵に対応する部位に設置されており、踵骨を爪先方向から⊂形にはさみ込むように固定することで、踵骨や踵骨の上にある距骨等を安定させたり固定するためのパッドであり、足首から爪先にかけてその構築めざす柔軟性のある「３つのアーチ」の起点を確保する機能と効果を有している。
これに加え、流線型踵骨固定パッド（図７の２６）は、
請求項１の基底部上面における足の土踏まず（内踏まず・外踏まずを含む）に対応する部位の踵骨寄りの位置に設置されており、歩行等における踵骨の前方への滑りを防止するクサビの機能を有するとともに、その一端をＵ字形踵骨固定パッドに重ね合わせて固定（図７の２５と２６の点線部分）することで踵骨が爪先方向に滑ることをより強固に防ぐととともに、踵骨の前部が脚力不足等により下方に落ち込んでいる場合には、この踵骨前部を流線型踵骨固定パッドにより下から支えることで踵骨全体を引き起こし、この機能によって第１趾中足骨頭部と第５趾中足骨頭部を踵骨に引き付ける作用が生じるため、図１の２０と２１と２２を結ぶ「３つのアーチ」を欧米系の手法を模倣することなく構築する機能と効果を有している。
なお、この流線型踵骨固定パッドは歩行中に土踏まずの内部にある足底動脈を間接的に圧迫するため下肢の血行を改善する効果もある。
また請求項１の中足骨パッド（図７の２３）は、
請求項１の基底部上面における足の第１趾の中足骨頭部（親指の付け根）と第５趾の中足骨頭部（小指の付け根）を結ぶ直線の中間点より第２趾および第３趾の指先に向かって半径５０ミリの範囲内にその中心が置かれるように楕円形もしくは水滴形もしくは多角形をなしたパッドであり、我が国の生活習慣や履物文化から必然的に起こる第１趾中足骨頭部と第５趾中足骨頭部を結ぶ爪先の逆アーチ現象（図４の２１と２２を結ぶ下方曲線）を防ぎ、べた足状態（開張足・偏平足）から靴類に足を入れた場合でも第１趾中足骨頭部と第５趾中足骨頭部を結ぶ爪先のアーチを復活させる機能と効果を有している。
そして免震機能を有する基底部とＵ字形踵骨固定パッドおよび流線型踵骨固定パッド・中足骨パッドを組合わせることで足首から爪先にかけて靴類を装用するだけで柔軟で安定感がある「３つのアーチ」を構築でき、歩行等における人体の動揺が少なくし、しかも歩くことに伴う脳のストレスが軽減されるような安定した快適な歩行の実現が可能となる。
次に請求項２に記載の植物性タンニンなめしによる食用豚のバックスキン製の敷き皮は、
上記請求項１記載の免震機能を有する基底部の上面に請求項１記載のＵ字形踵骨固定パッドおよび流線型踵骨固定パッドと中足骨パッドを各々所定の位置に固定したその上から全面もしくは一部に敷き皮を更に備えることで、Ｕ字形踵骨固定パッドや流線型踵骨固定パッドおよび中足骨パッドの効果的な位置や、歩行および運動時の体重移動・足圧の変化・足指の動き・身体の均衡等の連続性のある多様なデータを採取する記録シートの機能をなし、このデータにもとづき日常的な歩行機能や運動機能の改善および心理的影響による姿勢の変化等を改善し、歩行運動効果の効率を高める機能と効果を有している。
なお、植物性タンニンなめしによる皮革にはタンニンおよびカテキンが大量に含まれており、靴の中の雑菌の繁殖や悪臭を抑える機能と効果を有しているとともに、バックスキンは摩擦係数が高いので請求項１に記載の免震機能を有する基底部が歩行による圧力を受けた際に、その加圧部分のみが瞬間的に窪むという特徴と結合して、歩行のエネルギーを無駄なく地面に伝えることができ、歩行による疲労を少なくする効果も得られる。
また豚革のバックスキンは起毛状態にあるため足の裏の汗等を良く吸収するとともに、靴を脱いだあとは起毛面が大気に触れることで乾燥が促進され、靴内環境を快適に保ちつつ免震機能を有する基底部一体となって足の裏をマッサージすることで下肢の血行が改善される機能と効果を有している。
また請求項３記載のバランサは、
請求項１記載の免震機能を有する靴類の中敷きと組み合わせることで、変形可能な密封容器に封入された流動性のある液体又は粉体の流動に伴う慣性の法則による制震作用により歩行時・運動時における人体の重心の不均衡による身体の動揺をより容易かつ迅速に回復する機能と効果を有し、同時に運動機能の向上や身体のバランスを取りやすくするための「おもり」として、あるいは振り子の原理による上肢下肢等の可動範囲の拡大等の機能と効果を有している。
特に請求項１記載の免震機能を有する靴類の中敷きと請求項３記載のバランサを組合わせることで両者は相互に補完しあい、二足歩行ゆえに必然的に生じる身体の動揺（揺らぎ）のエネルギーを吸収しつつ、身体の動揺を利用して足元から全身の関節配列（アライメント）を発生しやすくし、生活習慣の中で生じる骨格の歪みや心理的な影響による骨盤等の歪み等を持続的に改善する機能と効果が生まれ、これによりバランスの取れた骨格や筋肉を形成するとともに、歩行や運動における脳の緊張やストレスを軽減するだけでなく筋力の低下等で脳だけでは充分な均衡が取れない高齢者や、脳や上肢下肢等に障害があって身体の均衡を保ち難い人にとって歩行や運動機能が大きく改善する効果を発揮する。
本考案は、多くの国民が直面している足腰のトラブルの軽減や、歩行による健康増進効果はもちろんのこと、正しいウォーキングによる生活習慣病の予防、およびその結果生じる各種健康保険支出の削減や家計における医療費負担の軽減、さらには我が国における歩行可能年齢を引き上げることに伴う介護費用の低減や、高齢者の外出機会の創出に伴う様々な消費の拡大など、本考案はきわめて広範囲な公益性及び経済的波及効果の大きい「総合的な足元からの健康づくり」に関する新規性のある技術の考案なのであり、以下のような多くのトラブルの改善が可能である。
（１）我が国の履物文化等の特異性に着目した技術であるため我が国における外反母趾・腰痛等の予防と歩行および姿勢の改善効果が顕著である。
特に外反母趾については骨盤の歪みを補正することで拇指球や小指球に掛かる偏った足圧を軽減でき、この部分の痛みを軽減し外反母趾等の進行を防ぐことが可能である。
また、「コンニャク足」と呼ばれるファッションを優先したために起こる著しい脚力低下や、歩行を忌避する世代、歩行をストレスと受容する世代の増加による慢性的な脚力の低下の予防と改善に効果がある。
（２）中敷きの厚さが１０ｍｍ〜２５ｍｍあるため、脚長差の補正では単に中敷きの踵部分をカットするだけで済み、姿勢改善や歩行機能の向上およびＯ脚やＸ脚の改善が容易かつ安価で各関節に掛かる負担や衝撃が軽減できる。
（３）免震中敷きにより歩行時の脳のストレスを軽減し、歩行による健康の維持増進効果を高め生活習慣病の予防と改善が可能である。
（４）足の裏のマッサージ効果による冷え性・足の「むくみ」や「しびれ」等の改善および足にできる魚の目やタコの改善に効果がある。
（５）リウマチや股関節・膝関節等の変形部位への衝撃の緩和等、特定の関節への負担を免震（免振）機能により分散することが可能である。
（６）看護師・電気ガス水道等のメーター検針員・宅配便運転手等の労働環境から生じる足腰膝痛等のトラブルの改善に効果がある。
（７）心理的原因による歩行特性の変化の改善が可能。
（８）歯の噛み合わせの改善や音楽関係者の音域声量の拡大および息継ぎの改善。
（９）スポーツ競技者のフォームの補正や腰痛・膝痛等の改善。
（１０）成長期の子供・児童・生徒の姿勢改善および「ひきこもり」や不登校の改善。
（１１）医者に掛かることの時間的経済的負担の軽減、入院に伴う脚力の低下、院内感染や輸血に伴う様々な感染症の回避、医療過誤や医療上のモラルによって生じる様々なリスクの回避、手術の後遺症や術後のリハビリにおける苦痛と費用の軽減。
（１２）歩行改善効果が靴医学会で否定された高価なドイツ式整形外科靴や足底挿板（足底板）に代わる、我が国固有の免震中敷きの普及により無用の保健請求を減らし、行政が負担してきた整形外科靴に関する医療費支出を大幅に削減できる
（１３）本考案は義足や歩行を補助する装具を使用している場合に生じる歩行時における重心の不均衡を免震中敷きとバランサにより安価に迅速に改善しうる。
（１４）約１０分ほどで中敷きの加工が済み、靴類と中敷きはその場でユーザーが履いて帰ることができる。
【考案を実施するための最良の形態】
【０００６】  本発明を実施するための最良の形態について、
請求項１の特徴を有する免震中敷きと、請求項２の特徴を有する植物性タンニンなめしによる食用豚のバックスキン製敷き皮と、請求項３の特徴を有するバランサの組合せを図５と図７にもとづいて説明する。
免震機能を有する基底部（図７の３２）は長さ１００ｍｍ〜３００ｍｍの範囲を有し、横幅４０ｍｍ〜１３０ｍｍ、厚さ５ｍｍから２５ｍｍの範囲の大きさを有し、素材が硬度３０から６０の弾力性を有する高密度独立発泡樹脂や多孔質シリコン樹脂等からなる靴類の中敷きの形状を有しており、建築における免震構造を応用して歩行や運動における人体固有の動揺（揺らぎ）を足元から支える構造とする（図５・図７の３２）。また請求項１のＵ字形踵骨固定パッド（図７の２５）は、請求項１の基底部上面における足の踵に対応する部位に設置されており、踵骨を爪先方向から⊂形にはさみ込むように固定した硬度３０から６０の弾力性を有する高密度独立発泡樹脂や多孔質シリコン樹脂等からなる踵骨や踵骨の上にある距骨等を安定させ固定するためのパッドであり、足首から爪先にかけて構築される「３つのアーチ」の起点を確保する構造とする。さらに流線型踵骨固定パッド（図７の２６）は、請求項１の基底部上面における足の土踏まずに対応する部位の踵骨寄りの位置に設置されており、硬度３０から６０の弾力性を有する高密度独立発泡樹脂や多孔質シリコン樹脂等からなる歩行等における踵骨の前方への滑りを防止するクサビの機能を有するとともに、その一端をＵ字形踵骨固定パッドに重ね合わせ（図７の２５と２６の重なり部分）て固定することで、踵骨が爪先方向に滑ることをより強固に防ぐとともに、歩行中に土踏まずにある足底動脈を間接的に圧迫して下肢の血行を改善する役割を果たすとともに、踵骨そのものの前傾を防ぐ効果があり、これにより踵骨と第１趾中足骨頭部と第５趾中足骨頭部を結ぶ爪先のアーチ（図５の２１と２２を結ぶ上方曲線）を復活させる構造とする。
またこの基底部上面の第１趾の中足骨頭部と第５趾の中足骨頭部を結ぶ直線の中間点より爪先方向に半径５０ミリの範囲内にその中心が置かれる硬度３０から６０の弾力性を有する高密度独立発泡樹脂や多孔質シリコン樹脂等からなる楕円形もしくは水滴形もしくは多角形をした中足骨パッド（図５・図７の２３）は、爪先のアーチが図４の下図のように逆アーチになることを防ぐ機能があり、Ｕ字形踵骨固定パッドと流線型踵骨固定パッドおよび中足骨パッドを所定の位置に固定したうえで、これを覆う形で植物性タンニンなめしによる食用豚のバックスキン製の敷き皮を靴類の敷き皮として備える。
従来の技術では踵骨の固定方法としてＵ字型踵骨固定パッドを踵の後方より爪先に向かって⊃型に固定してきた（図６の２４の状態）が、本考案では免震中敷きと同様の素材を用いて図７の２５のように爪先側から踵に向かって⊂型に接着剤等で固定する。
こうすることで踵骨は靴の中で前後左右に滑らなくなり、踵から着地した場合の安定性が向上する。
またこの踵骨固定方法は、正座習慣や脚力低下等により踵骨および距骨が動きやすい場合（図８）や、ハイヒールのように靴の中で足が前方に滑りやすい場合に特に有効であり、いわゆる偏平足となった足の骨格を足の裏側から押し上げることで「３つのアーチ」を復活させる機能を有する。
欧米系「３つのアーチ理論」（図１）と、本考案である図５を対比されたい。
欧米系「３つのアーチ理論」（図１）における三つの基点は、踵骨の最下点（図１の２０）と、足の親指（第１趾）の付け根（母趾球）と、足の小指（第５趾）の付け根であり、土踏まずと第３趾の中足骨の中央部分の中敷き表面を６ｍｍ前後膨らませることで「３つのアーチ」を形成している。
これに対し本考案（図７）では、免震機能を有する基底部に中足骨パッド（２３）が追加され、さらに図７の２５と２６が組合わされた形となる。
なお図５・図７における２３の中心を特定するための計測法は以下のとおりである。
まず免震機能を有する基底部の上面に裸足もしくは靴下を着用した足またはテープ等で足形を補正した足を直接載せ（図５の上図）、踵骨の最下点（図５の２０）と、足の親指（第１趾）の付け根（母趾球  図５の２１）と、足の小指の付け根（第５趾の中足骨頭部）を指で触れて探し出すか、または目で確認するか、もしくは３Ｄスキャナー足型計測器により特定し、免震素材の基底部の側面等に目印を付ける。
次に図５の２１と図５の２２の目印を直線で結び、その中間点から爪先方向に向って半径５０ミリの範囲内にその中心が置かれるように楕円形もしくは水滴形もしくは多角形をした中足骨パッドを固定する。
なおこのパッドは、歩行特性に合わせてその形状・面積・位置・厚さ・固さ等を個別に調整する。
特に免震機能を持つ基底部は、その中敷きを装用する人の年齢・体重・骨格・脚力・歩行特性・靴の用途に合わせて固さが選べるよう各種の特性を有する高密度発泡樹脂および多孔質シリコン等の素材を適時選択したり、これらを組み合わせることができるようにする。
そして免震機能を有する基底部とＵ字形踵骨固定パッドと流線型踵骨固定パッドおよび中足骨パッドの３つのパーツを組合わせることで、欧米系の歩行理論とはまったく違う「ものまね」ではない独自の方法で容易に理想的な「３つのアーチ」（図５上図）を構築することが可能となる。さらに請求項２の特徴を有する植物性タンニンなめしによる食用豚のバックスキン製の敷き皮を免震機能を有する基底部の上面に貼ることで、Ｕ字形踵骨固定パッドや流線型踵骨固定パッドおよび中足骨パッドの効果的な位置や、歩行および運動時の体重移動・足圧の変化・足指の動き・身体のバランス等の連続性および日常性のある多様なデータを採取する記録シートの役割を果たし、これらの歩行という生きた記録にもとづき日常的な歩行機能や運動機能の改善および心理的影響による姿勢の変化等を改善し、歩行運動効果の効率を高めることが可能となる。
また請求項３の特徴を有する流動性のある液体又は粉体を密閉容器に封入したバランサと、請求項１の特徴を有する免震中敷きを組み合わせることで歩行時・運動時における人体の重心の不均衡をより容易かつ迅速に回復させるための制震機能を果たし、液体や粉体の流動に伴う慣性の法則による運動機能の向上や身体のバランスを取りやすくするための「おもり」として、あるいは振り子の原理による上肢下肢等の可動範囲の拡大を可能にする。
請求項３記載のバランサは、
請求項１記載の免震機能を有する靴類の中敷きと組み合わせることで、変形可能な密封容器に封入された流動性のある液体又は粉体の流動に伴う慣性の法則による制震作用により歩行時・運動時における人体の重心の不均衡による身体の動揺をより容易かつ迅速に回復する機能と効果を有し、同時に運動機能の向上や身体のバランスを取りやすくするための「おもり」として、あるいは振り子の原理による上肢下肢等の可動範囲の拡大等の機能と効果を有している。
もともと人体には直立時もしくは二足歩行時におけるバランス保持機能が生来的に備わっており、その身体構造も揺れのエネルギーを骨格や筋肉等で吸収する構造となっている。
また人体は歩行や運動時の揺れを上肢下肢や腰部もしくは頭部を前後左右に動かすことで迅速に身体の重心の不均衡を回復しようとする。請求項１の特徴を有する免震中敷きはこうした人体の均衡機能を足元から支え補完するものであるが、その際たとえば骨折や足の関節の変形等で特定の関節や筋肉が機能しにくい場合、その機能しにくい部位のおおむね対角線上に位置する上肢や肩もしくは頭部に流動性のある液体または粉体と少量の気体を封入した弾力性のある容器を面ファスナー等で固定することでバランサ機能を発揮させる（図１０）。
これにより人体は歩行時や運動時にさらに均衡を保持しやすくなり、免震（免振）構造を有する中敷きと人体に生来的に備わってい
る制振機能をより融合しやすくすることで歩行機能や運動機能を改善向上させるのである。
特に請求項１記載の免震機能を有する靴類の中敷きと請求項３記載のバランサを組合わせることで両者は相互に補完しあい、これに請求項２の特徴を有する植物性タンニンなめしによる食用豚のバックスキン製の敷き皮を歩行という連続運動の記録シートとして設置することで、二足歩行ゆえに必然的に生じる身体の動揺（揺らぎ）を把握し、脳と柔軟な身体と免震中敷きの相乗効果により動揺のエネルギーを吸収しつつ、身体の動揺を利用して足元から全身の関節配列（アライメント）を発生しやすくし、生活習慣の中で生じる骨格の歪みや心理的な影響による骨盤等の歪み等を持続的に改善する機能と効果が生まれ、これによりバランスの取れた骨格や筋肉を形成するとともに、歩行や運動における脳の緊張やストレスを軽減するだけでなく筋力の低下等で脳だけでは充分な均衡が取れない高齢者や、脳や上肢下肢等に障害があって身体の均衡を保ち難い人にとって歩行や運動機能を大きく改善することが可能となる。
【図面の簡単な説明】
【０００７】
【図１】ドイツ式および欧米系「３つのアーチ理論」の概念図である。
【図２】手の上に立てた棒のバランスを取りながら棒の動揺をコントロールする免震理論の概念図である。
【図３】地震に強い高層ビルの免震構造の概念図である。
【図４】ドイツ式および欧米系の「３つのアーチ理論」に基づく靴類の中敷きの概略図である。
【図５】免震機能を有する基底部の上面にＵ字型踵骨固定パッドを固定する位置を示した模式図である。
【図６】従来の欧米系・ドイツ式中敷きにおける踵骨固定パッドの固定方法を示した図である。
【図７】免震機能を有する基底部の上面にＵ字型踵骨固定パッドと流線型踵骨固定パッドおよび中足骨パッドの配置関係を示した俯瞰図である。
【図８】免震中敷きを格納しうるパンプスにＵ字型踵骨固定パッドと流線型踵骨固定パッドおよび中足骨パッドの配置部位を示した俯瞰図である。
【図９】免震機能を有する靴類の中敷きを収納し得る靴類の甲部（爪先）断面図である。
【図１０】流動性のある液体等を封入したバランサの概略図である。
【符号の説明】
【２０】は踵骨最下点である。
【２１】は母趾球（第一指中足骨頭部）の最下点である。
【２２】は小指球（第五指中足骨頭部）の最下点である。
【２３】は中足骨パッドである。
【２４】は従来のＵ字型踵骨固定パッドの固定方法である。
【２５】は請求項１記載のＵ字型踵骨固定パッドの固定方法である。
【２６】は踵骨の前方への滑りを防止し、足底部の血流を改善する流線型踵骨固定パッドである
【２７】は請求項３記載のバランサの密封容器であり、流動性のある液体や粉体が封入されている。
【２８】は請求項３記載のバランサの密封容器内に流動性のある液体等が封入され、容器内には気泡や間隙がある
【２９】は請求項３記載のバランサを身体のいずれかの部位に固定するためのベルトである
【３０】は請求項３記載のバランサを身体のいずれかの部位に固定するための面ファスナーである
【３１】は建築における免震素材の使用例である
【３２】請求項１記載の靴類の中敷きの形状をもつ免震機能を有する基底部である
【３３】靴類の甲部（爪先）の断面図における靴底である
【３４】靴類の甲部（爪先）の断面図における甲革である
【３５】植物性タンニンなめしによる食用豚のバックスキンを用いたの靴類の敷き革である
【３６】地震に強い高層ビルの免震構造における基礎部分である
【手続補正３】
【補正対象書類名】図面
【補正対象項目名】全図
【補正方法】変更
【補正の内容】
【図１】
0003103236.tif 000012
【図２】
0003103236.tif 000013
【図３】
0003103236.tif 000014
【図４】
0003103236.tif 000015
【図５】
0003103236.tif 000016
【図６】
0003103236.tif 000017
【図７】
0003103236.tif 000018
【図８】
0003103236.tif 000019
【図９】
0003103236.tif 000020
【図１０】
0003103236.tif 000021